(57)【要約】  ロックされたエンクロージャーの望まれない開放を防止するためのデバイス（１０）は、ロック位置とアンロック位置との間で移動可能なロックボルト（２２）を含む。レバーアーム（７４）は、解除位置と係合位置との間で移動可能であり、ロック位置とアンロック位置との間でロックボルト（２２）を移動させる。回転要素（６６）は、係合可能位置においてレバーアーム（７４）と係合可能である。回転要素（６６）の回転は、回転要素（６６）がレバーアーム（７４）と係合させられているときに、ロック位置とアンロック位置との間でロックボルト（２２）を移動させる。ピン（７０）は、通常、レバーアーム（７４）が解除位置から係合可能位置へ移動することを阻止している。回転可能な出力ギヤ（１００）は、ラックギヤ（７８）およびピン（７０）を移動させ、レバーアーム（７４）の障害を取り除き、それによって、レバーアーム（７４）が回転要素（６６）と係合することを可能にし、ユーザーが回転要素（６６）を回転させ、ロック位置とアンロック位置との間でロックボルト（２２）を移動させることを可能にする。
2020522624.tif 000002
【特許請求の範囲】
【請求項１】
電源内蔵式のロックであって、
ハウジングと、
前記ハウジングに対してロック位置とアンロック位置との間を手動で移動可能なロックボルトと、
前記ハウジングの中のモーターであって、回転可能な出力ギヤを有している、モーターと、
前記回転可能な出力ギヤに係合しているラックギヤと、
前記ラックギヤと連結されているピンと、
ユーザーによる手動の作動の際に電気を発生させる手動で動作可能な発電機であって、前記モーターに電気的に接続されており、前記回転可能な出力ギヤを動作させるために、前記モーターに電気を供給する、発電機と、
解除位置と係合可能位置との間で移動可能なレバーアームであって、前記ロックボルトに動作可能に連結されており、前記ロック位置とアンロック位置との間で前記ロックボルトを移動させる、レバーアームと、
前記係合可能位置において前記レバーアームと係合可能な回転要素であって、前記回転要素の回転は、前記回転要素が前記レバーアームと係合する場合に、前記ロック位置とアンロック位置との間で前記ロックボルトを移動させる、回転要素と
を備え、
前記ピンは、通常、前記レバーアームが前記解除位置から前記係合可能位置へ移動することを阻止しており、前記モーターが前記発電機からの電気によって作動される場合に、前記回転可能な出力ギヤが、前記ラックギヤおよび前記ピンを移動させ、前記レバーアームの障害を取り除き、それによって、前記レバーアームが前記回転要素と係合することを可能にし、ユーザーが前記回転要素を回転させ、前記ロック位置とアンロック位置との間で前記ロックボルトを移動させることを可能にする、電源内蔵式のロック。
【請求項２】
コントローラーと、
前記発電機によって発生した電気を貯蔵する第１の電気貯蔵デバイスと
をさらに備え、
前記コントローラーは、前記モーターを動作させるための電気の必要量を決定し、必要量にしたがって前記第１の電気貯蔵デバイスから前記モーターへ前記電気を供給する、請求項１に記載の電源内蔵式のロック。
【請求項３】
コントローラーと、
前記発電機によって発生した電気を貯蔵する電気貯蔵デバイスと
をさらに備え、
前記電気貯蔵デバイスによって貯蔵された前記電気の少なくとも一部分は、前記ロックが動作させられているときに使用され、
前記電気貯蔵デバイスは、前記ロックが動作させられた後に、電気の未使用部分を貯蔵するように構成されており、前記電気の未使用部分は、後続のロック動作のために使用可能であり、電力入力を前記コントローラーに供給する、請求項１に記載の電源内蔵式のロック。
【請求項４】
電源内蔵式のロックであって、
ハウジングと、
前記ハウジングに対してロック位置とアンロック位置との間を手動で移動可能なロックボルトと、
前記ハウジングの中のモーターであって、回転可能な出力ギヤを有している、モーターと、
前記回転可能な出力ギヤに係合しているラックギヤと、
前記ラックギヤと連結されているスプリング付勢式ピンと、
ユーザーによる手動の作動の際に電気を発生させる手動で動作可能な発電機であって、前記モーターに電気的に接続されており、前記回転可能な出力ギヤを動作させるために、前記モーターに電気を供給する、発電機と、
解除位置と係合可能位置との間で移動可能なレバーアームであって、前記ロックボルトに動作可能に連結されており、前記ロック位置とアンロック位置との間で前記ロックボルトを移動させる、レバーアームと、
前記係合可能位置において前記レバーアームと係合可能な回転要素であって、前記回転要素の回転は、前記回転要素が前記レバーアームと係合する場合に、前記ロック位置とアンロック位置との間で前記ロックボルトを移動させる、回転要素と
を含み、
前記ピンは、通常、前記レバーアームが前記解除位置から前記係合可能位置へ移動することを阻止しており、前記モーターが前記発電機からの電気によって作動される場合に、前記回転可能な出力ギヤが、前記ラックギヤおよび前記ピンを移動させ、前記レバーアームの障害を取り除き、それによって、前記レバーアームが前記回転要素と係合することを可能にし、ユーザーが前記回転要素を回転させ、前記ロック位置とアンロック位置との間で前記ロックボルトを移動させることを可能にし、前記スプリング付勢式ピンは、前記回転要素が前記ロックボルトを前記ロック位置へ移動させる場合に、前記レバーアームを遮る位置へと戻るように付勢されている、電源内蔵式のロック。
【請求項５】
電源内蔵式のロックであって、
ハウジングと、
ロック位置とアンロック位置との間を手動で移動可能なロックボルトであって、前記ロック位置では、前記ロックボルトの少なくとも一部分が前記ハウジングの外向きに延在しており、前記アンロック位置では、前記ロックボルトの前記一部分が前記ハウジングの中に後退させられている、ロックボルトと、
前記ハウジングの中のモーターであって、回転可能な出力ギヤを有している、モーターと、
前記回転可能な出力ギヤに係合しているラックギヤと、
前記ラックギヤの中に装着されているピンであって、スプリング付勢の下で前記ラックギヤの外向きに延在可能な一部分を有している、ピンと、
ユーザーによる手動の作動の際に電気を発生させる手動で動作可能な発電機であって、前記モーターに電気的に接続されており、前記回転可能な出力ギヤを動作させるために、前記モーターに電気を供給する、発電機と、
解除位置と係合可能位置との間で移動可能なレバーアームであって、前記ロックボルトに動作可能に連結されており、前記ロック位置とアンロック位置との間で前記ロックボルトを移動させる、レバーアームと、
前記係合可能位置において前記レバーアームと係合可能な回転要素であって、前記回転要素の回転は、前記回転要素が前記レバーアームと係合する場合に、前記ロック位置とアンロック位置との間で前記ロックボルトを移動させる、回転要素と
を含み、
前記ピンは、通常、前記レバーアームが前記解除位置から前記係合可能位置へ移動することを阻止しており、前記モーターが前記発電機からの電気によって作動される場合に、前記回転可能な出力ギヤが、前記ラックギヤおよび前記ピンを移動させ、前記レバーアームの障害を取り除き、それによって、前記レバーアームが前記回転要素と係合することを可能にし、ユーザーが前記回転要素を回転させ、前記ロック位置とアンロック位置との間で前記ロックボルトを移動させることを可能にし、前記スプリング付勢式ピンは、前記回転要素が前記ロックボルトを前記ロック位置へ移動させる場合に、前記レバーアームを遮断する位置へと戻るように付勢されている、電源内蔵式のロック。
【請求項６】
前記ピンに付勢力を供給するために、前記ピンおよび前記ラックギヤの中に少なくとも部分的に装着されているコイルばねをさらに含む、請求項５に記載の電源内蔵式のロック。
【請求項７】
電源内蔵式のロックを動作させるための方法であって、
手動で動作可能な発電機を使用して電気を発生させるステップと、
前記電気を貯蔵するステップと、
前記ロックへの正しい組み合わせコードの入力のときに、回転可能な出力ギヤを有するモーターを動作させるために、貯蔵された前記電気を使用するステップと、
貯蔵された前記電気を使用する前記モーターによって前記回転可能な出力ギヤを回転させ、ラックギヤを移動させ、それによって、レバーアームの障害を取り除くステップと、
前記レバーアームを回転要素に対して係合可能位置へ移動させるステップと、
前記レバーアームとの係合の後に、前記回転要素を回転させ、前記ハウジングに対してロック位置とアンロック位置との間でロックボルトを移動させるステップと
を含む、方法。
【請求項８】
電源内蔵式のロックを動作させるための方法であって、
手動で動作可能な発電機を使用して電気を発生させるステップと、
前記電気を貯蔵するステップと、
前記ロックへの正しい組み合わせコードの入力の際に、回転可能な出力ギヤを有するモーターを動作させるために、貯蔵された前記電気を使用するステップと、
貯蔵された前記電気を使用する前記モーターによって前記回転可能な出力ギヤを回転させ、ピンと連結されているラックギヤを移動させ、それによって、レバーアームの障害を取り除くステップと、
前記レバーアームを回転要素に対して係合可能位置へ移動させるステップと、
前記レバーアームとの係合の後に、前記回転要素を回転させ、前記ハウジングに対してロック位置とアンロック位置との間でロックボルトを移動させるステップと
を含む、方法。
【請求項９】
電源内蔵式のロックを動作させるための方法であって、
手動で動作可能な発電機を使用して電気を発生させるステップと、
前記電気を貯蔵するステップと、
前記ロックへの正しい組み合わせコードの入力の際に、回転可能な出力ギヤを有するモーターを動作させるために、貯蔵された前記電気を使用するステップと、
貯蔵された前記電気を使用する前記モーターによって前記回転可能な出力ギヤを回転させ、スプリング付勢式ピンと連結されているラックギヤを移動させ、それによって、レバーアームの障害を取り除くステップと、
前記レバーアームを回転要素に対して係合可能位置へ移動させるステップと、
前記レバーアームとの係合の後に、前記回転要素を回転させ、前記ハウジングに対してロック位置とアンロック位置との間でロックボルトを移動させるステップと、
前記アンロック位置から前記ロック位置へ前記ロックボルトを移動させる際に、前記レバーアームを遮断する位置へと戻るように前記スプリング付勢式ピンを移動させるステップと
を含む、方法。
【請求項１０】
ロック構成体であって、
前記ロック構成体のための発電機電力を内部に発生させるように構成されている発電機構成体であって、内部に発生させられる前記電力は、複数の機能のそれぞれが前記ロック構成体によって実行される場合に、前記ロック構成体によって消費される、発電機構成体と、
前記発電機電力が、前記ロック構成体によって実行されるようにユーザーによって要求される少なくとも１つの機能を実行するのに不十分である場合に、前記ロック構成体のための前記発電機電力を補充するために電力を提供するように構成されている少なくとも１つの追加的な電力供給源と、
前記ロック構成体によって実行されるように前記ユーザーによって要求される機能のうちの前記少なくとも１つに応答して、複数のアクションを実行するように構成されているコントローラーであって、前記アクションのそれぞれは、前記ユーザーによって要求される前記少なくとも１つの機能を実行するために、十分な電力が前記ロック構成体のために利用可能であるということを保証する、コントローラーと
を含む、ロック構成体。
【請求項１１】
複数の太陽電池であって、ソーラーパワーを獲得し、前記ソーラーパワーを電力貯蔵デバイスの中に貯蔵するように構成されており、前記ソーラーパワーは、前記発電機構成体によって発生させられる前記発電機電力に対する補充である、複数の太陽電池をさらに含む、請求項１０に記載のロック構成体。
【請求項１２】
前記コントローラーは、
前記発電機電力に関連付けられる電流パワーレベルをモニタリングするようにさらに構成されており、
前記ロック構成体によって実行されるように前記ユーザーによって要求される機能のそれぞれに基づいて、前記ロック構成体の電流パワー要件を評価するようにさらに構成されており、
前記発電機電力に関連付けられる前記電流パワーレベルが、前記ロック構成体によって実行されるように前記ユーザーによって要求される前記機能のそれぞれを実行するのに十分であるかどうかを決定するようにさらに構成されており、
前記発電機電力の前記電流パワーレベルが、前記ユーザーによって要求される前記機能のそれぞれを実行するのに不十分である場合に、前記発電機構成体によって発生させられる前記発電機電力を前記太陽エネルギーに補充させ、前記ユーザーによって要求される前記機能のそれぞれを実行するために、前記電力貯蔵デバイスの中に貯蔵されている前記ソーラーパワーにアクセスするようにさらに構成されている、請求項１１に記載のロック構成体。
【請求項１３】
バッテリー供給源であって、バッテリーパワーを貯蔵し、前記ロック構成体による消費のために前記コントローラーによって要求される場合に、前記バッテリーパワーを提供するように構成されており、前記バッテリーパワーは、前記発電機構成体によって発生させられる前記発電機電力に対する補充である、バッテリー供給源をさらに含む、請求項１０に記載のロック構成体。
【請求項１４】
前記コントローラーは、
前記発電機構成体に関連付けられる前記電流パワーレベルをモニタリングするようにさらに構成されており、
前記ロック構成体によって実行されるように前記ユーザーによって要求される前記機能のそれぞれに基づいて、前記ロック構成体の電流パワー要件を評価するようにさらに構成されており、
前記発電機電力に関連付けられる前記電流パワーレベルが、前記ロック構成体によって実行されるように前記ユーザーによって要求される前記機能のそれぞれを実行するのに十分であるかどうかを決定するようにさらに構成されており、
前記発電機電力の前記電流パワーレベルが、前記ユーザーによって要求される前記機能のそれぞれを実行するのに不十分である場合に、前記発電機構成体によって発生させられる前記発電機電力を前記バッテリーパワーに補充させ、前記ユーザーによって要求される前記機能のそれぞれを実行するために、前記バッテリー供給源の中に貯蔵されている前記バッテリーパワーにアクセスするようにさらに構成されている、請求項１３に記載のロック構成体。
【請求項１５】
前記コントローラーは、
前記発電機電力、前記ソーラーパワー、および前記バッテリーパワーによって提供されるような前記ロック構成体の前記電流パワーレベルをモニタリングし、前記電流パワーレベルが閾値を超えたかどうかを決定するようにさらに構成されており、前記閾値は、前記ロック構成体が前記ユーザーによって要求される前記少なくとも１つの機能を実行するために必要なパワーレベルであり、
前記ロック構成体の前記電流パワーレベルが前記閾値を超えるまで、前記ロック構成体の前記機能のそれぞれを非活性化状態に維持するようにさらに構成されており、
前記ロック構成体の前記電流パワーレベルが前記閾値を超えた場合には、前記ユーザーの前記要求を満たすために、前記ロック構成体のそれぞれの必要な機能を活性化させるようにさらに構成されている、請求項１４に記載のロック構成体。
【請求項１６】
前記コントローラーは、
前記ロック構成体によって実行されるように前記ユーザーによって要求される前記機能のそれぞれに基づいて、前記ロック構成体の前記電流パワー要件をモニタリングするようにさらに構成されており、
前記ユーザーによる要求を満たすように要求される場合に、それぞれの要求された機能を活性化させるようにさらに構成されており、
前記ロック構成体によって消費される全体的な電力を保存するために、それぞれの不必要な機能が、もはや前記ユーザーによる前記要求を満たすために必要でない場合には、それぞれの不必要な機能を非活性化させるようにさらに構成されている、請求項１５に記載のロック構成体。
【請求項１７】
ロック構成体であって、
前記ロック構成体のための電力を提供するように構成されている電力供給源であって、前記電力は、複数の機能のそれぞれが前記ロック構成体によって実行される場合に、前記ロック構成体によって消費される、電力供給源と、
アクティブタッチスクリーンであって、ユーザーのためのインターフェースを提供し、前記ユーザーが前記ロック構成体と相互作用することを可能にするように構成されており、前記ロック構成体によって実行されることとなる少なくとも１つの機能は、前記アクティブタッチスクリーンを介して前記ユーザーによって要求され、フィードバックが、前記アクティブタッチスクリーンを介して前記ユーザーに提供される、アクティブタッチスクリーンと、
コントローラーであって、前記アクティブタッチスクリーンを介して前記ユーザーによって要求される前記少なくとも１つの機能に応答して、複数のアクションを実行するように構成されており、前記アクションのそれぞれは、前記ロック構成体を始動させ、前記ユーザーによって要求される前記少なくとも１つの機能を実行し、前記アクティブタッチスクリーンを介して前記ユーザーにフィードバックを提供する、コントローラーと
を含む、ロック構成体。
【請求項１８】
前記コントローラーは、前記ユーザーが前記アクティブタッチスクリーンを介して所定の組み合わせコードを入力することを試みるたびに、前記アクティブタッチスクリーンによって表示される前記所定の組み合わせコードの中に含まれるそれぞれの文字の位置を調節するようにさらに構成されている、請求項１７に記載のロック構成体。
【請求項１９】
前記コントローラーは、複数の表示文字を調節するようにさらに構成されており、前記複数の表示文字は、前記アクティブタッチスクリーンによって表示される前記所定の組み合わせコードの中に含まれるそれぞれの文字を同伴しており、前記複数の表示文字の中に含まれる少なくとも１つの文字が、前記ユーザーが前記アクティブタッチスクリーンを介して前記所定の組み合わせコードを入力することを試みるたびに、前記アクティブタッチスクリーンによって以前に表示された少なくとも１つの文字とは異なるようになっている、請求項１８に記載のロック構成体。
【請求項２０】
前記アクティブタッチスクリーンは、
前記ユーザーが前記アクティブタッチスクリーンと相互作用することに応答して、前記アクティブタッチスクリーンによって前記ユーザーに表示されるそれぞれの異なるスクリーンショットによって前記ユーザーを促すようにさらに構成されており、それぞれのスクリーンショットは、前記ロック構成体の実行をナビゲートする際に前記ユーザーを支援するために、異なる情報を表示し、
前記アクティブタッチスクリーンによって表示されるそれぞれの異なるスクリーンショットによって前記ユーザーにフィードバックを提供するようにさらに構成されており、それぞれの異なるスクリーンショットは、前記アクティブタッチスクリーンと相互作用する前記ユーザーによって実行されるアクションに応答して表示される、請求項１９に記載のロック構成体。
【請求項２１】
前記ユーザーが前記アクティブタッチスクリーンと相互作用することに関連付けられる時間データを提供するように構成されているクロックであって、前記時間データは、前記ユーザーが前記アクティブタッチスクリーンと相互作用する日付および時間に関連付けられる情報を提供する、クロックをさらに含む、請求項１７に記載のロック構成体。
【請求項２２】
前記コントローラーは、
アンロック位置における前記ロック構成体への前記ユーザーのアクセスに時間要件が関連付けられている場合に、前記ユーザーが前記所定の組み合わせコードを正しく入力することを試みる場合に、前記クロックによって提供される前記時間データを評価するようにさらに構成されており、前記時間要件は、特定の日付および時間に、前記ユーザーが前記所定の組み合わせコードを正しく入力することを要求し、
前記時間要件に関連付けられる前記特定の日付および時間とは異なる日付および時間に、前記ユーザーが前記所定の組み合わせコードを正しく入力する場合に、前記ロック構成体が前記アンロック位置へ移行することを防止するようにさらに構成されており、
前記時間要件に関連付けられる前記特定の日付および時間において、前記ユーザーが前記所定の組み合わせコードを正しく入力する場合に、前記ロック構成体が前記アンロック位置へと移行することを可能にするようにさらに構成されている、請求項２１に記載のロック構成体。
【請求項２３】
前記コントローラーは、
前記ユーザーが前記所定の組み合わせコードを正しく入力することを試みる場合に、および、時間遅延要件が、前記アンロック位置における前記ロック構成体への前記ユーザーのアクセスと関連付けられている場合に、前記クロックによって提供される前記時間データを評価するようにさらに構成されており、前記時間遅延要件は、前記ユーザーが前記所定の組み合わせコードを正しく入力した後に、前記ロック構成体が特定の時間の期間にわたってロック位置にあるままになっていることを要求し、
前記ユーザーが前記所定の組み合わせコードを正しく入力する場合に、前記時間遅延要件に関連付けられる前記特定の時間の期間が過ぎるまで、前記ロック構成体が前記アンロック位置へと移行することを防止するようにさらに構成されている、請求項２２に記載のロック構成体。
【請求項２４】
ロック構成体に電力を提供するための方法であって、
発電機構成体から、前記ロック構成体のための発電機電力を内部に発生させるステップであって、内部に発生させられる前記電力は、複数の機能のそれぞれが前記ロック構成体によって実行される場合に、前記ロック構成体によって消費される、ステップと、
前記発電機電力が、前記ロック構成体によって実行されるように前記ユーザーによって要求される少なくとも１つの機能を実行するのに不十分である場合に、前記ロック構成体のための前記発電機電力を補充するために、少なくとも１つの追加的な電力供給源から電力を提供するステップと、
前記ロック構成体によって実行されるように前記ユーザーによって要求される前記少なくとも１つの機能に応答して、コントローラーによって複数のアクションを実行するステップであって、前記アクションのそれぞれは、前記ユーザーによって要求される前記少なくとも１つの機能を実行するために、十分な電力が前記ロック構成体のために利用可能であるということを保証する、ステップと
を含む、方法。
【請求項２５】
電力を提供する前記ステップは、
複数の太陽電池によってソーラーパワーを獲得するステップと、
前記ソーラーパワーを電力貯蔵デバイスの中に貯蔵するステップであって、前記ソーラーパワーは、前記発電機構成体によって発生させられる前記発電機電力に対する補充である、ステップと
を含む、請求項２４に記載の方法。
【請求項２６】
前記複数のアクションを実行する前記ステップは、
前記発電機電力に関連付けられる電流パワーレベルをモニタリングするステップと、
前記ロック構成体によって実行されるように前記ユーザーによって要求される機能のそれぞれに基づいて、前記ロック構成体の電流パワー要件を評価するステップと、
前記発電機電力に関連付けられる前記電流パワーレベルが、前記ロック構成体によって実行されるように前記ユーザーによって要求される前記機能のそれぞれを実行するのに十分であるかどうかを決定するステップと、
前記発電機電力の前記電流パワーレベルが、前記ユーザーによって要求される前記機能のそれぞれを実行するのに不十分である場合に、前記発電機構成体によって発生させられる前記発電機電力を前記太陽エネルギーに補充させ、前記ユーザーによって要求される前記機能のそれぞれを実行するために、前記電力貯蔵デバイスの中に貯蔵されている前記ソーラーパワーにアクセスするステップと
を含む、請求項２５に記載の方法。
【請求項２７】
電力を提供する前記ステップは、
バッテリーパワーを貯蔵するステップと、
前記ロック構成体による消費のために前記コントローラーによって要求される場合に、前記バッテリーパワーを提供するステップであって、前記バッテリーパワーは、前記発電機構成体によって発生させられる前記発電機電力に対する補充である、ステップと
をさらに含む、請求項２４に記載の方法。
【請求項２８】
前記複数のアクションを実行する前記ステップは、
前記発電機構成体に関連付けられる前記電流パワーレベルをモニタリングするステップと、
前記ロック構成体によって実行されるように前記ユーザーによって要求される前記機能のそれぞれに基づいて、前記ロック構成体の電流パワー要件を評価するステップと、
前記発電機電力に関連付けられる前記電流パワーレベルが、前記ロック構成体によって実行されるように前記ユーザーによって要求される前記機能のそれぞれを実行するのに十分であるかどうかを決定するステップと、
前記発電機電力の前記電流パワーレベルが、前記ユーザーによって要求される前記機能のそれぞれを実行するのに不十分である場合に、前記発電機構成体によって発生させられる前記発電機電力を前記バッテリーパワーに補充させ、前記ユーザーによって要求される前記機能のそれぞれを実行するために、前記バッテリー供給源の中に貯蔵されている前記バッテリーパワーにアクセスするステップと
をさらに含む、請求項２７に記載の方法。
【請求項２９】
前記複数のアクションを実行する前記ステップは、
前記発電機電力、前記ソーラーパワー、および前記バッテリーパワーによって提供されるような前記ロック構成体の前記電流パワーレベルをモニタリングし、前記電流パワーレベルが閾値を超えたかどうかを決定するステップであって、前記閾値は、前記ロック構成体が前記ユーザーによって要求される前記少なくとも１つの機能を実行するために必要なパワーレベルである、ステップと、
前記ロック構成体の前記電流パワーレベルが前記閾値を超えるまで、前記ロック構成体の前記機能のそれぞれを非活性化状態に維持するステップと、
前記ロック構成体の前記電流パワーレベルが前記閾値を超えたときには、前記ユーザーの前記要求を満たすために、前記ロック構成体のそれぞれの必要な機能を活性化させるステップと
をさらに含む、請求項２８に記載の方法。
【請求項３０】
前記複数のアクションを実行する前記ステップは、
前記ロック構成体によって実行されるように前記ユーザーによって要求される前記機能のそれぞれに基づいて、前記ロック構成体の前記電流パワー要件をモニタリングするステップと、
前記ユーザーによる要求を満たすように要求される場合に、それぞれの要求された機能を活性化させるステップと、
前記ロック構成体によって消費される全体的な電力を保存するために、それぞれの不必要な機能が、もはや前記ユーザーによる前記要求を満たすために必要でない場合には、それぞれの不必要な機能を非活性化させるステップと
をさらに含む、請求項２９に記載の方法。
【請求項３１】
ロック構成体に関連付けられる複数の機能を実行するための方法であって、
前記ロック構成体のための電力を電力供給源によって発生させるステップであって、発生させられる前記電力は、前記機能のそれぞれが前記ロック構成体によって実行される場合に、前記ロック構成体によって消費される、ステップと、
アクティブタッチスクリーンによってユーザーのためのインターフェースを提供し、前記ユーザーが前記ロック構成体と相互作用することを可能にするステップであって、前記ロック構成体によって実行されることとなる少なくとも１つの機能は、前記アクティブタッチスクリーンを介して前記ユーザーによって要求される、ステップと、
前記アクティブタッチスクリーンを介して前記ユーザーにフィードバックを提供するステップと、
前記アクティブタッチスクリーンを介して前記ユーザーによって要求される前記少なくとも１つの機能に応答して、複数のアクションを実行するステップであって、前記アクションのそれぞれは、前記ロック構成体を始動させ、前記ユーザーによって要求される前記少なくとも１つの機能を実行し、前記アクティブタッチスクリーンを介して前記ユーザーにフィードバックを提供する、ステップと
を含む、方法。
【請求項３２】
前記複数のアクションを実行する前記ステップは、
前記ユーザーが前記アクティブタッチスクリーンを介して所定の組み合わせコードを入力することを試みるたびに、前記アクティブタッチスクリーンによって表示される前記所定の組み合わせコードの中に含まれるそれぞれの文字の位置を調節するステップを含む、請求項３１に記載の方法。
【請求項３３】
前記複数のアクションを実行する前記ステップは、
複数の表示文字を調節するステップであって、前記複数の表示文字は、前記アクティブタッチスクリーンによって表示される前記所定の組み合わせコードの中に含まれるそれぞれの文字を同伴しており、前記複数の表示文字の中に含まれる少なくとも１つの文字が、前記ユーザーが前記アクティブタッチスクリーンを介して前記所定の組み合わせコードを入力することを試みるたびに、前記アクティブタッチスクリーンによって以前に表示された少なくとも１つの文字とは異なるようになっている、ステップをさらに含む、請求項３２に記載の方法。
【請求項３４】
前記インターフェースを前記ユーザーに提供する前記ステップは、
前記ユーザーが前記アクティブタッチスクリーンと相互作用することに応答して、前記アクティブタッチスクリーンによって前記ユーザーに表示されるそれぞれの異なるスクリーンショットによって前記ユーザーを促すステップであって、それぞれのスクリーンショットは、前記ロック構成体の実行をナビゲートする際に前記ユーザーを支援するために、異なる情報を表示する、ステップと、
前記アクティブタッチスクリーンによって表示されるそれぞれの異なるスクリーンショットによって前記ユーザーにフィードバックを提供するステップであって、それぞれの異なるスクリーンショットは、前記アクティブタッチスクリーンと相互作用する前記ユーザーによって実行されるアクションに応答して表示される、ステップと
を含む、請求項３３に記載の方法。
【請求項３５】
クロックによって時間データを提供するステップであって、前記時間データは、前記ユーザーが前記アクティブタッチスクリーンと相互作用することに関連付けられており、前記時間データは、前記ユーザーが前記アクティブタッチスクリーンと相互作用する日付および時間に関連付けられる情報を提供する、ステップをさらに含む、請求項３１に記載の方法。
【請求項３６】
アンロック位置における前記ロック構成体への前記ユーザーのアクセスに時間要件が関連付けられている場合に、前記ユーザーが前記所定の組み合わせコードを正しく入力することを試みる場合に、前記クロックによって提供される前記時間データを評価するステップであって、前記時間要件は、特定の日付および時間に、前記ユーザーが前記所定の組み合わせコードを正しく入力することを要求する、ステップと、
前記時間要件に関連付けられる前記特定の日付および時間とは異なる日付および時間に、前記ユーザーが前記所定の組み合わせコードを正しく入力する場合に、前記ロック構成体が前記アンロック位置へ移行することを防止するステップと、
前記時間要件に関連付けられる前記特定の日付および時間において、前記ユーザーが前記所定の組み合わせコードを正しく入力する場合に、前記ロック構成体が前記アンロック位置へと移行することを可能にするステップと
をさらに含む、請求項３５に記載の方法。
【請求項３７】
前記ユーザーが前記所定の組み合わせコードを正しく入力することを試みる場合に、および、時間遅延要件が、前記アンロック位置における前記ロック構成体への前記ユーザーのアクセスと関連付けられている場合に、前記クロックによって提供される前記時間データを評価するステップであって、前記時間遅延要件は、前記ユーザーが前記所定の組み合わせコードを正しく入力した後に、前記ロック構成体が特定の時間の期間にわたってロック位置にあるままになっていることを要求する、ステップと、
前記ユーザーが前記所定の組み合わせコードを正しく入力する場合に、前記時間遅延要件に関連付けられる前記特定の時間の期間が過ぎるまで、前記ロック構成体が前記アンロック位置へと移行することを防止するステップと
をさらに含む、請求項３６に記載の方法。
【請求項３８】
電源内蔵式のロックであって、
前記電源内蔵式のロックのための発電機電力を内部に発生させるように構成されている発電機構成体であって、内部に発生させられる前記電力は、複数の機能のそれぞれが前記電源内蔵式のロックによって実行される場合に、前記電源内蔵式のロックによって消費される、発電機構成体と、
ユーザーのためのインターフェースを提供するように構成されており、前記ユーザーがアクティブタッチスクリーンに係わり、前記電源内蔵式のロックと相互作用することを可能にするディスプレイであって、前記発電機構成体によって内部に発生させられる前記発電機電力によって提供される少量の電力を消費する、ディスプレイと、
コントローラーであって、前記ディスプレイを介して前記ユーザーによって要求される少なくとも１つの機能に応答して、複数のアクションを実行するように構成されており、前記アクションのそれぞれは、前記電源内蔵式のロックを始動させ、前記ユーザーによって要求される前記少なくとも１つの機能を実行し、前記ディスプレイを介して前記ユーザーにフィードバックを提供する、コントローラーと
を備え、
前記ディスプレイは、
前記ユーザーが前記ディスプレイに係わり、前記ユーザーに表示されている画像を前記ディスプレイが変更することを要求する場合に、前記少量の発電機電力を消費するようにさらに構成されており、
前記ユーザーに表示されている前記画像を変更することが、前記ユーザーによって要求されない場合には、前記発電機電力を消費することを禁止するようにさらに構成されており、
前記発電機電力を消費することなく、前記ユーザーに表示されている前記画像を維持するようにさらに構成されている、電源内蔵式のロック。
【請求項３９】
前記ディスプレイは、電気泳動ディスプレイをさらに備える、請求項３８に記載の電源内蔵式のロック。
【請求項４０】
前記コントローラーは、
前記ユーザーに表示されている前記画像を前記ディスプレイが変更することを、前記ユーザーが要求していない場合には、前記発電機電力が前記ディスプレイに供給されることを防止するようにさらに構成されており、
前記ユーザーに表示されている前記画像を前記ディスプレイが変更することを、前記ユーザーが要求する場合には、前記少量の前記発電機電力が前記ディスプレイに提供されるようにするために、前記発電機電力にアクセスするようにさらに構成されている、請求項３８に記載の電源内蔵式のロック。
【請求項４１】
前記コントローラーは、
前記ユーザーが前記電源内蔵式のロックに係わるたびに関連付けられるアクセスデータをトラッキングするようにさらに構成されており、前記アクセスデータは、前記電源内蔵式のロックに関連付けられる金庫コンテナにアクセスする試みに関連付けられるデータである、請求項３８に記載の電源内蔵式のロック。
【請求項４２】
前記コントローラーは、
前記ユーザーが前記電源内蔵式のロックの前記ディスプレイに係わることを試みるたびにリモートコンピューティングデバイスに通知するようにさらに構成されており、前記リモートコンピューティングデバイスは、前記電源内蔵式のロックから遠隔に位置決めされており、前記ディスプレイに係わるための前記ユーザーによる前記試みを、前記コントローラーからワイヤレス通信を介して通知される、請求項４１に記載の電源内蔵式のロック。
【請求項４３】
前記ユーザーが前記ディスプレイと相互作用することに関連付けられる時間データを提供するように構成されているクロックであって、前記時間データは、前記ユーザーが前記ディスプレイと相互作用する日付および時間に関連付けられる情報を提供する、クロックをさらに含む、請求項４２に記載の電源内蔵式のロック。
【請求項４４】
前記コントローラーは、
前記ユーザーが前記電源内蔵式のロックの前記ディスプレイに係わることを試みるたびに関連付けられる前記時間データを前記リモートコンピューティングデバイスに提供するようにさらに構成されており、前記リモートコンピューティングデバイスは、前記ディスプレイに係わるための前記ユーザーによる前記試みに関連付けられる時間データを、前記コントローラーからワイヤレス通信を介して通知される、請求項４３に記載の電源内蔵式のロック。
【請求項４５】
前記コントローラーは、
前記ユーザーが前記電源内蔵式のロックの前記ディスプレイに係わることを試みるたびに関連付けられる前記アクセスデータを前記リモートコンピューティングデバイスに提供するようにさらに構成されており、前記リモートコンピューティングデバイスは、前記ディスプレイに係わるための前記ユーザーによる前記試みに関連付けられるアクセスデータを、前記コントローラーからワイヤレス通信を介して通知される、請求項４４に記載の電源内蔵式のロック。
【請求項４６】
前記電源内蔵式のロックの前記ディスプレイに係わることを試みる前記ユーザーの画像をキャプチャーするように構成されているカメラをさらに含む、請求項４２に記載の電源内蔵式のロック。
【請求項４７】
前記コントローラーは、
前記ユーザーが前記電源内蔵式のロックの前記ディスプレイに係わることを試みるたびに、前記カメラによってキャプチャーされる前記ユーザーの前記画像を前記リモートコンピューティングデバイスに提供するようにさらに構成されており、前記リモートコンピューティングデバイスは、前記カメラによってキャプチャーされる前記ユーザーの前記画像を、前記コントローラーからワイヤレス通信を介して通知される、請求項４６に記載の電源内蔵式のロック。
【請求項４８】
電源内蔵式のロックのためのユーザーに、少量のパワーインターフェースを提供するための方法であって、
発電機構成体によって、前記電源内蔵式のロックのための発電機電力を内部に発生させるステップであって、内部に発生させられる前記電力は、複数の機能のそれぞれが前記電源内蔵式のロックによって実行される場合に、前記電源内蔵式のロックによって消費される、ステップと、
ディスプレイによって、ユーザーのためのインターフェースを提供し、前記ユーザーがアクティブタッチスクリーンに係わり、前記電源内蔵式のロックと相互作用することを可能にするステップと、
前記発電機構成体によって内部に発生させられる前記発電機電力によって提供される少量の電力を、前記ディスプレイによって消費する、ステップと、
前記ディスプレイを介して前記ユーザーによって要求される少なくとも１つの機能に応答して、複数のアクションを実行するステップであって、前記アクションのそれぞれは、前記電源内蔵式のロックを始動させ、前記ユーザーによって要求される前記少なくとも１つの機能を実行し、前記ディスプレイを介して前記ユーザーにフィードバックを提供する、ステップと
を含み、
前記少量の電力を前記ディスプレイによって消費する前記ステップは、
前記ユーザーが前記ディスプレイに係わり、前記ユーザーに表示されている画像を前記ディスプレイが変更することを要求する場合には、前記少量の発電機電力を消費するステップと、
前記ユーザーに表示されている前記画像を変更することが、前記ユーザーによって要求されない場合には、前記発電機電力を消費することを禁止するステップと、
前記発電機電力を消費することなく、前記ユーザーに表示されている前記画像を維持するステップと
を含む、方法。
【請求項４９】
前記ユーザーに表示されている前記画像を前記ディスプレイが変更することを、前記ユーザーが要求していない場合には、前記発電機電力が前記ディスプレイに供給されることを防止するステップと、
前記ユーザーに表示されている前記画像を前記ディスプレイが変更することを、前記ユーザーが要求する場合には、前記少量の前記発電機電力が前記ディスプレイに提供されるようにするために、前記発電機電力にアクセスするステップと
をさらに含む、請求項４８に記載の方法。
【請求項５０】
前記ユーザーが前記電源内蔵式のロックに係わるたびに関連付けられるアクセスデータをトラッキングするステップであって、前記アクセスデータは、前記電源内蔵式のロックに関連付けられる金庫コンテナにアクセスする試みに関連付けられる、ステップをさらに含む、請求項４８に記載の方法。
【請求項５１】
前記ユーザーが前記電源内蔵式のロックの前記ディスプレイに係わることを試みるたびにリモートコンピューティングデバイスに通知するステップであって、前記リモートコンピューティングデバイスは、前記電源内蔵式のロックから遠隔に位置決めされており、前記ディスプレイに係わるための前記ユーザーによる前記試みを、前記コントローラーからワイヤレス通信を介して通知される、ステップをさらに含む、請求項５０に記載の方法。
【請求項５２】
クロックによって時間データを提供するステップであって、前記時間データは、前記ユーザーが前記ディスプレイと相互作用することに関連付けられており、前記時間データは、前記ユーザーが前記ディスプレイと相互作用する日付および時間に関連付けられる情報を提供する、ステップをさらに含む、請求項５１に記載の方法。
【請求項５３】
前記ユーザーが前記電源内蔵式のロックの前記ディスプレイに係わることを試みるたびに関連付けられる前記時間データを前記リモートコンピューティングデバイスに提供するステップであって、前記リモートコンピューティングデバイスは、前記ディスプレイに係わるための前記ユーザーによる前記試みに関連付けられる時間データを、前記コントローラーからワイヤレス通信を介して通知される、ステップをさらに含む、請求項５２に記載の方法。
【請求項５４】
前記ユーザーが前記電源内蔵式のロックの前記ディスプレイに係わることを試みるたびに関連付けられる前記アクセスデータを前記リモートコンピューティングデバイスに提供するステップであって、前記リモートコンピューティングデバイスは、前記ディスプレイに係わるための前記ユーザーによる前記試みに関連付けられるアクセスデータを、前記コントローラーからワイヤレス通信を介して通知される、ステップをさらに含む、請求項５３に記載の方法。
【請求項５５】
前記電源内蔵式のロックの前記ディスプレイに係わることを試みる前記ユーザーの画像を、カメラによってキャプチャーするステップをさらに含む、請求項５１に記載の方法。
【請求項５６】
前記ユーザーが前記電源内蔵式のロックの前記ディスプレイに係わることを試みるたびに、前記カメラによってキャプチャーされる前記ユーザーの前記画像を前記リモートコンピューティングデバイスに提供するステップであって、前記リモートコンピューティングデバイスは、前記カメラによってキャプチャーされる前記ユーザーの前記画像を、前記コントローラーからワイヤレス通信を介して通知される、ステップをさらに含む、請求項５５に記載の方法。
【発明の詳細な説明】
【技術分野】
【０００１】
関連出願の相互参照
本出願は、２０１７年６月２日に出願された米国仮出願第６２／５１４，１３５号明細書（係属中）の優先権を主張し、その開示は、その全体が参照により本明細書に組み込まれている。
【０００２】
実施形態は、概して、ロックに関し、より具体的には、金庫および他のセキュリティー構造体またはエリアの中で使用するために実装される高セキュリティーロックに関する。
【背景技術】
【０００３】
極端に機密性の高いまたは非常に高い専有的価値のあるアイテムは、その権限を与えられたアンロッキングを可能にするために必要な所定の組み合わせコードを与えられた選択された個人に、アイテムへのアクセスが制限された状態で、金庫または他の格納デバイスの中に安全に貯蔵されなければならないことが多い。従来の金庫破り技法を用いる人、または、ロッキングメカニズムの要素を操作し、それによって、それを開けることが意図された、電界もしくは磁界、高い機械的な力、または加速度を印加するための高性能機器を用いる人による、そのような金庫コンテナの権限のないアンロッキングに対抗することを保証することが必須である。
【０００４】
さらに、権限のないアクセスから金庫コンテナを保護するさまざまな用途は、所定の組み合わせコードを所有する権限のある個人によって入力されるときに所定の組み合わせコードを決定することを試みる観察技法をより高度に受けやすい状態でありながら、ロッキングメカニズムが特定の物理的なフットプリントを満たすことを要求する。権限のない動作に対抗することを保証するとともに、権限を与えられているロッキング動作およびアンロッキング動作に関する要素の間の協働的な移動を実現するために、機械的な要素、電気的な要素、および磁気的な要素のさまざまな組み合わせを用いる多数のロッキングメカニズムが公知である。しかし、そのような従来のロッキングメカニズムは、所定の組み合わせコードを入力するアプローチを用い、それは、さりげない観察者（casual observer）によって容易に取得される可能性がある。たとえば、さりげない観察者は、権限のある個人が従来のプッシュボタンおよび／またはダイアルアプローチを介して所定の組み合わせコードを正しく入力した後に、所定の組み合わせを容易に決定することが可能である。
【０００５】
本実施形態は、より完全に以降に開示されているように、これらの認知されている必要性を、幾何学的にコンパクトな電気的に自律的なロッキングメカニズムによって、合理的なコストで満たす。
【発明の概要】
【課題を解決するための手段】
【０００６】
本発明の例示的な実施形態によれば、ロックされたエンクロージャーの望まれない開放を防止するための電源内蔵式のロックが提供される。電源内蔵式のロックは、ハウジングと、ロック位置とアンロック位置との間での移動のために装着されているロックボルトとを含む。モーターは、ハウジングの中に含まれており、回転可能な出力ギヤを有している。ラックギヤは、回転可能な出力ギヤに係合している。ピンは、ラックギヤと連結されている。手動で動作可能な発電機は、ユーザーによる手動の作動のときに電気を発生させる。発電機は、モーターに電気的に接続されており、回転可能な出力ギヤを動作させるために、モーターに電気を供給する。レバーアームは、解除位置と係合可能位置との間で移動可能であり、ロックボルトに動作可能に連結されており、ロック位置とアンロック位置との間でロックボルトを移動させる。回転要素は、その係合可能位置においてレバーアームと係合可能である。回転要素の回転は、回転要素がレバーアームと係合させられているときに、ロック位置とアンロック位置との間でロックボルトを移動させる。ピンは、通常、レバーアームが解除位置から係合可能位置へ移動することを阻止している。モーターが発電機からの電気によって作動されるときに、回転可能な出力ギヤが、ラックギヤおよびピンを移動させ、レバーアームの障害を取り除き、それによって、レバーアームが回転要素と係合することを可能にし、ユーザーが回転要素を回転させ、ロック位置とアンロック位置との間でロックボルトを移動させることを可能にする。
【０００７】
本発明の別の例示的な実施形態によれば、電源内蔵式のロックが提供される。電源内蔵式のロックは、ハウジングと、ロックボルトとを含み、ロックボルトは、ハウジングに対してロック位置とアンロック位置との間を手動で移動可能である。モーターは、ハウジングの中に含まれており、回転可能な出力ギヤを有している。ラックギヤは、回転可能な出力ギヤに係合している。手動で動作可能な発電機は、ユーザーによる手動の作動のときに電気を発生させる。発電機は、モーターに電気的に接続されており、回転可能な出力ギヤを動作させるために、モーターに電気を供給する。レバーアームは、解除位置と係合可能位置との間で移動可能であり、ロックボルトに動作可能に連結されており、ロック位置とアンロック位置との間でロックボルトを移動させる。回転要素は、その係合可能位置においてレバーアームと係合可能である。回転要素の回転は、回転要素がレバーアームと係合させられているときに、ロック位置とアンロック位置との間でロックボルトを移動させる。ピンは、通常、レバーアームが解除位置から係合可能位置へ移動することを阻止している。モーターギヤが発電機からの電気によって作動されるときに、回転可能な出力ギヤが、ラックギヤおよびピンを移動させ、レバーアームの障害を取り除き、それによって、レバーアームが回転要素と係合することを可能にし、ユーザーが回転要素を回転させ、ロック位置とアンロック位置との間でロックボルトを移動させることを可能にする。スプリング付勢式ピンは、回転要素がロックボルトをロック位置へ移動させるときに、レバーアームを遮断する位置へと戻るように付勢されている。
【０００８】
本発明の別の例示的な実施形態は、ハウジングを含むモーターによって動作可能な電源内蔵式のロックである。ロックボルトは、ロック位置とアンロック位置との間を手動で移動可能であり、ロック位置では、ロックボルトの少なくとも一部分がハウジングの外向きに延在しており、アンロック位置では、ロックボルトの一部分がハウジングの中に後退させられている。モーターは、回転可能な出力ギヤを有している。ラックギヤは、回転可能な出力ギヤに係合している。ピンは、ラックギヤの中に装着されており、スプリング付勢の下でラックギヤの外向きに延在可能な一部分を有している。手動で動作可能な発電機は、ユーザーによる手動の作動のときに電気を発生させる。発電機は、モーターに電気的に接続されており、回転可能な出力ギヤを動作させるために、モーターに電気を供給する。レバーアームは、解除位置と係合可能位置との間で移動可能であり、レバーアームは、ロックボルトに動作可能に連結されており、ロック位置とアンロック位置との間でロックボルトを移動させる。回転要素は、その係合可能位置においてレバーアームと係合可能である。回転要素の回転は、回転要素がレバーアームと係合させられているときに、ロック位置とアンロック位置との間でロックボルトを移動させる。ピンは、通常、レバーアームが解除位置から係合可能位置へ移動することを阻止している。モーターが発電機からの電気によって作動されるときに、回転可能な出力ギヤが、ラックギヤおよびピンを移動させ、レバーアームの障害を取り除き、それによって、レバーアームが回転要素と係合することを可能にし、ユーザーが回転要素を回転させ、ロック位置とアンロック位置との間でロックボルトを移動させることを可能にする。スプリング付勢式ピンは、回転要素がロックボルトをロック位置へ移動させるときに、レバーアームを遮断する位置へと戻るように付勢されている。
【０００９】
本発明によれば、電源内蔵式のロックを動作させるための方法のさらなる別の例示的な実施形態が提供される。手動で動作可能な発電機を使用して、電気が発生させられる。電気が貯蔵される。貯蔵された電気は、ロックへの正しい組み合わせコードの入力のときに、回転可能な出力ギヤを有するモーターを動作させるために使用される。回転可能な出力ギヤは、貯蔵された電気を使用するモーターによって回転させられ、ラックギヤを移動させ、それによって、レバーアームの障害を取り除く。レバーアームは、回転要素に対して係合可能位置へ移動させられる。回転要素は、レバーアームとの係合の後に回転させられ、ハウジングに対してロック位置とアンロック位置との間でロックボルトを移動させる。
【００１０】
本発明による電源内蔵式のロックのさらなる例示的な実施形態は、モーターによって電源内蔵式のロックを動作させる方法を含む。電気は、手動で動作可能な発電機を使用して発生させられる。電気は、貯蔵される。貯蔵された電気は、ロックへの正しい組み合わせコードの入力のときに、回転可能な出力ギヤを有するモーターを動作させるために使用される。回転可能な出力ギヤは、貯蔵された電気を使用するモーターによって回転させられ、ピンと連結されているラックギヤを移動させ、それによって、レバーアームをアンロックする。レバーアームは、回転要素に対して係合可能位置へ移動させられる。回転要素は、レバーアームとの係合の後に回転させられ、ハウジングに対してロック位置とアンロック位置との間でロックボルトを移動させる。
【００１１】
電源内蔵式のロックを動作させるための方法が、本発明にしたがって提供される。電気は、手動で動作可能な発電機を使用して発生させられる。電気は、貯蔵される。貯蔵された電気は、ロックへの正しい組み合わせコードの入力のときに、回転可能な出力ギヤを有するモーターを動作させるために使用される。回転可能な出力ギヤは、貯蔵された電気を使用するモーターによって回転させられ、スプリング付勢式ピンと連結されているラックギヤを移動させ、それによって、レバーアームの障害を取り除く。レバーアームは、回転要素に対して係合可能位置へ移動させられる。回転要素は、レバーアームとの係合の後に回転させられ、ハウジングに対してロック位置とアンロック位置との間でロックボルトを移動させる。スプリング付勢式ピンは、アンロック位置からロック位置へロックボルトを移動させるときに、レバーアームを遮断する位置へと戻るように移動させられる。
【００１２】
本発明の態様では、ロック構成体は、発電機構成体を含み、発電機構成体は、電源内蔵式のクロックのための発電機電力を内部に発生させるように構成されている。発生させられる電力は、複数の機能のそれぞれがロック構成体によって実行されるときに、ロック構成体によって消費される。少なくとも１つの追加的な電力供給源は、発電機電力が、ロック構成体によって実行されるようにユーザーによって要求される少なくとも１つの機能を実行するのに不十分であるときに、ロック構成体のための発電機電力を補充するために電力を提供するように構成されている。コントローラーは、ロック構成体によって実行されるようにユーザーによって要求される少なくとも１つの機能に応答して、複数のアクションを実行するように構成されている。アクションのそれぞれは、ユーザーによって要求される少なくとも１つの機能を実行するために、十分な電力がロック構成体のために利用可能であるということを保証する。
【００１３】
また、ロック構成体のための電力を提供するように構成されている電力供給源を含むロック構成体が、本発明の例示的な実施形態にしたがって提供される。発生させられる電力は、複数の機能のそれぞれがロック構成体によって実行されるときに、ロック構成体によって消費される。アクティブタッチスクリーンは、ユーザーのためのインターフェースを提供し、ユーザーがロック構成体と相互作用することを可能にするように構成されている。ロック構成体によって実行されることとなる少なくとも１つの機能は、アクティブタッチスクリーンを介してユーザーによって要求され、フィードバックが、アクティブタッチスクリーンを介してユーザーに提供される。コントローラーは、アクティブタッチスクリーンを介してユーザーによって要求される少なくとも１つの機能に応答して、複数のアクションを実行するように構成されている。アクションのそれぞれは、ロック構成体を始動させ、ユーザーによって要求される少なくとも１つの機能を実行し、アクティブタッチスクリーンを介してユーザーにフィードバックを提供する。
【００１４】
ロック構成体に内部電力を提供するための方法が、本発明の別の例示的な実施形態にしたがって提供される。方法は、発電機構成体から、ロック構成体のための発電機電力を内部に発生させるステップを提供する。内部に発生させられる電力は、複数の機能のそれぞれがロック構成体によって実行されるときに、ロック構成体によって消費される。そのうえ、方法は、発電機電力が、ロック構成体によって実行されるようにユーザーによって要求される少なくとも１つの機能を実行するのに不十分であるときに、ロック構成体のための発電機電力を補充するために、少なくとも１つの追加的な電力供給源から電力を提供するステップを提供する。したがって、コントローラーは、ロック構成体によって実行されるようにユーザーによって要求される少なくとも１つの機能に応答して、複数のアクションを実行する。アクションのそれぞれは、ユーザーによって要求される少なくとも１つの機能を実行するために、十分な電力がロック構成体のために利用可能であるということを保証する。
【００１５】
本発明のさらなる例示的な実施形態は、ロック構成体に関連付けられる複数の機能を実行する方法を提供する。方法は、ロック構成体のために発生させられる電力を、電力供給源によって発生させるステップを提供する。発生させられる電力は、機能のそれぞれがロック構成体によって実行されるときに、ロック構成体によって消費される。方法は、アクティブタッチスクリーンによってユーザーのためのインターフェースを提供し、ユーザーがロック構成体と相互作用することを可能にするステップを提供する。ロック構成体によって実行されることとなる少なくとも１つの機能は、アクティブタッチスクリーンを介してユーザーによって要求される。また、方法は、アクティブタッチスクリーンを介してユーザーにフィードバックを提供するステップを提供する。また、方法は、アクティブタッチスクリーンを介してユーザーによって要求される少なくとも１つの機能に応答して、複数のアクションを実行するステップを提供する。アクションのそれぞれは、ロック構成体を始動させ、ユーザーによって要求される少なくとも１つの機能を実行し、アクティブタッチスクリーンを介してユーザーにフィードバックを提供する。
【００１６】
本発明のさらなる例示的な実施形態は、電源内蔵式のロックのための電力を内部に発生させるように構成されている発電機構成体を含む電源内蔵式のロックを提供する。内部に発生させられる電力は、複数の機能のそれぞれが電源内蔵式のロックによって実行されるときには、電源内蔵式のロックによって消費される。ディスプレイは、ユーザーのためのインターフェースを提供するように構成されており、ユーザーがアクティブタッチスクリーンに係わり、電源内蔵式のロックと相互作用することを可能にする。ディスプレイは、発電機構成体によって内部に発生させられる発電機電力によって提供される減少した量の電力を消費する。コントローラーは、ディスプレイを介してユーザーによって要求される少なくとも１つの機能に応答して、複数のアクションを実行するように構成されている。アクションのそれぞれは、電源内蔵式のロックを始動させ、ユーザーによって要求される少なくとも１つの機能を実行し、ディスプレイを介してユーザーにフィードバックを提供する。
【００１７】
本発明のさらなる例示的な実施形態は、電源内蔵式のロックのためのユーザーに、減少したパワーインターフェースを提供するための方法を提供する。方法は、発電機構成体によって、電源内蔵式のロックのための発電機電力を内部に発生させるステップを提供する。内部に発生させられる電力は、複数の機能のそれぞれが電源内蔵式のロックによって実行されるときには、電源内蔵式のロックによって消費される。インターフェースは、ディスプレイによって、ユーザーのために提供されており、ユーザーがアクティブタッチスクリーンに係わり、電源内蔵式のロックと相互作用することを可能にする。減少した量の電力が、ディスプレイによって消費され、それは、発電機構成体によって内部に発生させられる発電機電力によって提供される。ディスプレイを介してユーザーによって要求される少なくとも１つの機能に応答して、複数のアクションが実行される。アクションのそれぞれは、電源内蔵式のロックを始動させ、ユーザーによって要求される少なくとも１つの機能を実行し、ディスプレイを介してユーザーにフィードバックを提供する。
【００１８】
本発明のさまざまな追加的な目的、利点、および特徴は、添付の図面に関連して見られる、例示目的の実施形態の以下の詳細な説明を再検討することから理解されることとなる。
【００１９】
添付の図面は、本明細書の中に組み込まれており、また、本明細書の一部を構成しており、添付の図面は、本発明の実施形態を図示しており、上記に与えられている本発明の全体的な説明、および、下記に与えられている詳細な説明とともに、本発明を説明する役割を果たしている。
【図面の簡単な説明】
【００２０】
【図１】ロックされたエンクロージャーの望まれない開放を防止するためのタッチスクリーンロック構成体の斜視図であり、それは、本発明によるアクティブタッチスクリーンを扱いやすく提供されたユーザーアクセス可能な外部ハブを有していることを示す図である。
【図２】タッチスクリーンロック構成体のための電力を発生させるための発電構成体の分解図である。
【図３】タッチスクリーンロック構成体の概略図である。
【図４】後方からロック構成体を見た、ロック構成体の分解斜視図である。
【図５】タッチスクリーンロック構成体の分解図であり、開口部が、ケーシングの厚さ全体を通って延在しており、シャフトをその中に緊密に収容しており、シャフトは、アクティブタッチスクリーンからケーシングの内側に画定されたスペースの中へ延在していることを示す図である。
【図６Ａ】回転可能な出力ギヤおよびラックギヤアッセンブリの分解斜視図である。
【図６Ｂ】図６Ａの回転可能な出力ギヤおよびラックギヤアッセンブリの組立斜視図である。
【図７Ａ】図１のデバイスを示す正面図であり、ロックボルトがロック位置とアンロック位置との間で移動するときのさまざまな段階におけるさまざまな要素の共同作用を示す図である。
【図７Ｂ】図１のデバイスを示す正面図であり、ロックボルトがロック位置とアンロック位置との間で移動するときのさまざまな段階におけるさまざまな要素の共同作用を示す図である。
【図７Ｃ】図１のデバイスを示す正面図であり、ロックボルトがロック位置とアンロック位置との間で移動するときのさまざまな段階におけるさまざまな要素の共同作用を示す図である。
【図７Ｄ】図１のデバイスを示す正面図であり、ロックボルトがロック位置とアンロック位置との間で移動するときのさまざまな段階におけるさまざまな要素の共同作用を示す図である。
【図８Ａ】図１のデバイスの再ロックデバイスを示す、図７Ａ〜図７Ｄの断面線８Ａ−８Ａから８Ｄ−８Ｄに沿ってとられた断面図である。
【図８Ｂ】図１のデバイスの再ロックデバイスを示す、図７Ａ〜図７Ｄの断面線８Ａ−８Ａから８Ｄ−８Ｄに沿ってとられた断面図である。
【図８Ｃ】図１のデバイスの再ロックデバイスを示す、図７Ａ〜図７Ｄの断面線８Ａ−８Ａから８Ｄ−８Ｄに沿ってとられた断面図である。
【図８Ｄ】図１のデバイスの再ロックデバイスを示す、図７Ａ〜図７Ｄの断面線８Ａ−８Ａから８Ｄ−８Ｄに沿ってとられた断面図である。
【図９】本発明によるモーター構成の斜視図である。
【発明を実施するための形態】
【００２１】
この詳細な説明は、概して、ロックセキュリティーの分野に関する。具体的には、ロック構成体は、極端に機密性の高いおよび／または高い専有的価値のあるアイテムを、権限のない個人のアクセスから保護するために、金庫コンテナおよび他のセキュリティー構造体またはエリアの中での使用のために実装される。たとえば、ロック構成体は、高いレベルのセキュリティーゾーンの中に位置付けされている金庫コンテナの中に実装され得、高いレベルのセキュリティーゾーンでは、その場所が、権限のない個人によって切望されるアイテムを保護している可能性のあるいくつかの金庫コンテナを収容しているということを、権限のない個人が知っている可能性がある。ロック構成体は、金庫コンテナおよび／または他のセキュリティー構造体もしくはエリアへのアクセスを防止するロック状態に留まっており、権限のある個人によって命令されたときに、アンロック状態に移行する構成である。
【００２２】
金庫コンテナの中に収容されており、ロック構成体によって保護されているアイテムにアクセスするために、金庫コンテナによって収容されている保護されているアイテムにアクセスする権限を有する権限のある個人は、所定の組み合わせコードをロック構成体の中へ入力することが可能であり、所定の組み合わせコードは、正しく入力されたときに、ロック構成体をアンロックすることが可能であり、権限のある個人に対して金庫コンテナの中へのアクセスを可能にする。所定の組み合わせコードは、文字の所定のシーケンスであることが可能であり、それは、権限のある個人によって入力されたときに、ロック状態からアンロック状態へ移転するように、ロック構成体をトリガーし、金庫コンテナの中へのアクセスを可能にする。所定の組み合わせコードがロック構成体の中へ正しく入力されない場合には、ロック構成体は、ロック状態のままであることが可能であり、金庫コンテナの中へのアクセスを防止することが可能である。
【００２３】
しかし、上記に述べられているように、金庫コンテナによって収容されている保護されているアイテムにアクセスする権限を有しない権限のない個人が、金庫コンテナの場所を知っている可能性があり、また、金庫コンテナが権限のない個人によって切望されるアイテムを保護しているということを知っている可能性がある。そのような権限のない個人は、権限のある個人によってロック構成体の中へ入力されるときに、所定の組み合わせコードを決定することを試みることが可能である。たとえば、権限のない個人は、権限のある個人が知ることなく、権限のある個人がロック構成体の中へ所定の組み合わせコードを入力することをさりげなく観察する可能性がある。従来のプッシュボタンロックなどのような従来のロッキングメカニズムは、権限のある個人が従来のロッキングメカニズムの中へ所定の組み合わせコードを入力するときに、所定の組み合わせコードを決定する機会を権限のない個人に提供する。そのような例では、権限のある個人が所定の組み合わせコードの適正なシーケンスでプッシュボタンロックのそれぞれのボタンを押圧するときに、権限のない個人が、権限のある個人が知ることなく、権限のある個人によって適正なシーケンスで押圧されるそれぞれのボタンをさりげなく観察して記録し、所定の組み合わせコードを決定することが可能である。
【００２４】
さらに、権限のないアクセスから金庫コンテナを保護するさまざまな用途は、ロック構成体が特定の物理的なフットプリントを満たすということを要求する可能性がある。たとえば、標準的な金庫コンテナは、ロック構成体が物理的なフットプリントを越えて侵害することなく満たすべき標準化された物理的なフットプリントを有している。典型的に、従来のロッキングメカニズムの高性能化が増加するにつれて、従来のロッキングメカニズムの物理的なフットプリントのサイズも増加する。たとえば、従来の高性能ロッキングメカニズムに必要とされる電力の量は、著しく増加し、また、適切な電力を提供するために、従来の高性能ロッキングメカニズムの物理的なフットプリントも増加し、大型のバッテリーなどを介して適切な電力を提供するようになっている。
【００２５】
下記に詳細に議論されているロック構成体は、アクティブタッチスクリーンを実装しており、アクティブタッチスクリーンは、権限のある個人がロック構成体と相互作用することを可能にすることができる。ロック構成体は、アクティブタッチスクリーンによって表示される文字を調節することが可能であり、アクティブタッチスクリーンによって表示される文字の位置および／または実際の文字が変化することができるようになっている。アクティブタッチスクリーンによって表示される文字の位置および／または実際の文字を変更する際に、権限のある個人によって入力される所定の組み合わせコードを決定する権限のない個人の能力が大きく減じられ得る。
【００２６】
たとえば、権限のない個人は、権限のある個人が所定の組み合わせコードを入力するときに、それぞれの文字がアクティブタッチスクリーンの上の第１の位置に位置決めされている状態で、個人がアクティブタッチスクリーンを介して所定の組み合わせコードを入力することを観察する可能性がある。しかし、ロック構成体は、権限のない個人が所定の組み合わせコードを入力することを試みるときに、アクティブタッチスクリーンによって表示されるそれぞれの文字を第２の位置へ調節することが可能である。次いで、権限のある個人が所定の組み合わせコードを入力することを試みたときの第１の位置にあるそれぞれの文字の位置と比較したときに、それぞれの文字が第２の位置において異なる位置に位置決めされている状態で、権限のない個人は、正しい所定の組み合わせコードを入力することができない可能性がある。したがって、権限のない個人が、権限のある個人が所定の組み合わせコードを入力することをさりげなく観察しながら、所定の組み合わせコードを取得することを防止する際に、アクティブタッチスクリーンは、増加した高性能性をロック構成体に提供することが可能である。
【００２７】
また、下記に議論されているロック構成体は、内部発電機を実装しており、内部発電機は、ロック構成体の内部にあり、アクティブタッチスクリーンに給電するための電力を発生させ、また、それにしたがって、ロック状態とアンロック状態との間でボルト後退メカニズムを移行させるために、ボルト後退メカニズムに電力を提供する。発電機は、典型的に金庫コンテナによって実装される物理的なフットプリントを維持しながら、電力がロック構成体に提供されることを可能にする。発電機は、権限のあるユーザーがロック構成体に関連付けられるパワークランクを移動させるときに、電力を発生させることが可能である。パワークランクは、移動させるときに、ロック構成体の中に含まれるギヤトレインを始動させ、また、ギヤトレインの移動は、発電機を始動させ、電力を発生させることが可能であり、電力は、次いで、ロック構成体によって消費され得る。また、ロック構成体は、太陽電池を含むことも可能であり、太陽電池は、太陽エネルギーを獲得し、太陽エネルギーは、次いで、電力に変換され、電力は、また、ロック構成体によって消費され得る。したがって、ロック構成体は、大型のバッテリーおよび／または他の電力供給源の必要性なしに、アクティブタッチスクリーン、ボルト後退メカニズム、および／または、ロック構成体の他の機能のそれぞれに給電するのに十分な電力を発生させることが可能であり、それによって、ロック構成体の物理的なフットプリントを維持する。
【００２８】
本明細書の詳細な説明において、「１つの実施形態」、「ある実施形態」などへの言及は、説明されている実施形態が、特定の特徴、構造体、または特質を含むことが可能であるということを示しているが、すべての実施形態が、必ずしも、その特定の特徴、構造体、または特質を含まなくてもよい。そのうえ、そのような語句は、必ずしも、同じ実施形態を参照しているわけではない。さらに、特定の特徴、構造体、または特質が、ある実施形態に関連して説明され得るときには、明示的に説明されているかどうかにかかわらず、他の実施形態に関連して、そのような特徴、構造体、または特質を実現するということが、当業者の知識の範囲内であり得る。
【００２９】
以下の詳細な説明は、添付の図面を参照しており、添付の図面は、例示的な実施形態を図示している。他の実施形態も可能であり、この説明の精神および範囲内において、実施形態に対して修正が行われ得る。本明細書で提供される教示にアクセスする当業者は、その範囲内において、追加的な修正例、適用例、および実施形態を認識することとなり、また、実施形態が重要な有用性のものになることとなる追加的な分野を認識することとなる。したがって、詳細な説明は、下記に説明されている実施形態に限定することを意味していない。
【００３０】
図１は、ロックされたエンクロージャーの望まれない開放を防止するためのタッチスクリーンロック構成体１０のダイアグラムであり、アクティブタッチスクリーン１４を扱いやすく提供された外部ユーザーアクセス可能なハブ１２を有している。ハブ１２は、権限のある個人がハブ１２とインターフェースすることを可能にする任意の公知の様式で、ケーシング１８に取り付けられており、本明細書の説明を与えられる当業者によって理解されることとなるように、ケーシング１８によって囲まれたロック本体部を有し、それにしたがってボルト２２をロック位置とアンロック位置との間で移動させることによって応答する。たとえば、ハブ１２は、ケーシング１８に直接的に取り付けられ得る。別の例では、ドアなどのようなアクセス装置が、ハブ１２とケーシング１８との間に配設され得る。
【００３１】
上記に述べられているように、タッチスクリーンロック構成体１０は、権限のあるユーザーがアクティブタッチスクリーン１４を介してタッチスクリーンロック構成体１０に係わることを可能にすることができる。タッチスクリーンロック構成体１０は、アクティブタッチスクリーン１４によって表示される文字のそれぞれの位置を調節することが可能であり、また、アクティブタッチスクリーン１４によって表示されている実際の文字を調節することが可能であり、アクティブタッチスクリーン１４は、変更された位置によって文字を表示することが可能であり、および／または、アクティブタッチスクリーン１４によって実際に表示される変更された文字を表示することが可能である。そうする際に、タッチスクリーンロック構成体１０は、権限のない個人が、権限のある個人が知ることなく、権限のある個人が所定の組み合わせコードを入力することをさりげなく観察することを防止することが可能であり、また、権限のない個人が、権限のある個人が所定の組み合わせコードを入力することを観察することから、所定の組み合わせを決定することを防止することが可能である。
【００３２】
文字は、所定の組み合わせコードの中に含まれ得る任意のタイプの英数字および／またはシンボルであることが可能である。次いで、文字のそれぞれは、権限のある個人によって認識され、文字がアクティブタッチスクリーン１４によって表示されているときに、権限のある個人が、所定の組み合わせコードの中に含まれているものとして文字を認識することができるようになっている。次いで、権限のある個人は、所定の組み合わせコードの中に含まれる文字および後続の文字を選択し、タッチスクリーンロック構成体１０をアンロック状態へと移行させることが可能である。
【００３３】
ある実施形態では、タッチスクリーンロック構成体１０は、アクティブタッチスクリーン１４によって表示される文字のそれぞれを調節することが可能であり、文字のそれぞれが、個人が所定の組み合わせコードを入力することを試みるたびに、異なる位置に表示されるようになっている。たとえば、最初に個人が所定の組み合わせコードを入力することを試みるときに、文字のそれぞれが、第１のセットのそれぞれの位置１６（ａ〜ｎ）に表示され得、ここで、ｎは、１以上の整数である。次いで、２回目に個人が所定の組み合わせコードを入力することを試みるときに、文字のそれぞれは、第２のセットのそれぞれの位置１６（ａ〜ｎ）に表示され得、ここで、第１のセットと第２のセットとの間のそれぞれの文字それぞれに関する位置１６（ａ〜ｎ）のそれぞれが変更されている。
【００３４】
ある実施形態では、タッチスクリーンロック構成体１０は、アクティブタッチスクリーン１４によって表示される実際の文字を調節することが可能であり、個人が所定の組み合わせコードを入力することを試みるたびに、異なる文字が表示されるようになっている。たとえば、所定の組み合わせコードは、５  ０  ７  ５である。最初に個人が所定の組み合わせコードを入力することを試みるときに、それぞれの位置１６（ａ〜ｎ）によって表示される文字のそれぞれは、Ａ  Ｂ  ５  ０  Ｄ  Ｅ  ７  ５  Ｗ  Ｘを含む。次いで、２回目に、それぞれの位置１６（ａ〜ｎ）によって表示される文字のそれぞれは、２  ５  Ｖ  ＊  ０  Ｑ  Ｓ  ７  ！  ５を含む。
【００３５】
ダイアルのそれぞれのターンの方向、ターンの量、および、それぞれのターンが終了するときの文字をトラッキングすることによって、権限のある個人が従来のダイアルロッキングメカニズムを調節することを、権限のない個人がさりげなく観察することができるようにするというよりもむしろ、タッチスクリーンロック構成体１０へのアクセスが試みられるたびに表示される文字の位置および文字自身を変更することによって、タッチスクリーンロック構成体１０は、権限のない個人がそれを行えることを防止することが可能である。タッチスクリーンロック構成体１０は、本明細書の説明を与えられる当業者によって理解されることとなるように、任意の様式で、および、タッチスクリーンロック構成体１０にアクセスすることを試みる任意の頻度で、アクティブタッチスクリーン１４によって表示される文字を調節することが可能である。
【００３６】
上記に述べられているように、タッチスクリーンロック構成体１０は、また、タッチスクリーンロック構成体１０の物理的なフットプリントを超えて膨張することなく、アクティブタッチスクリーン１４、ボルト後退メカニズム、および、タッチスクリーンロック構成体１０の他の機能のそれぞれに十分な電力を提供するために、内部発電機を含むことが可能である。大きい電力供給源を組み込むというよりもむしろ、タッチスクリーンロック構成体１０は、ギヤアッセンブリを含み、ギヤアッセンブリは、内部発電機およびパワークランク２０に連結されている。権限のある個人がタッチスクリーンロック構成体１０の電源を入れることを要求するたびに、権限のある個人は、パワークランク２０に力を印加し、ギヤアッセンブリを回転させる様式で、パワークランク２０を移動させる。権限のある個人がパワークランク２０を移動させ、ギヤアッセンブリを回転させるたびに、内部発電機は、電力を発生させ、タッチスクリーンロック構成体１０に電力を供給する。権限のある個人は、タッチスクリーンロック構成体１０が適切に動作するのに十分な電力を内部発電機が発生させるまで、パワークランク２０を移動させ続けることが可能である。
【００３７】
また、タッチスクリーンロック構成体１０は、バッテリーバンク２６を含むことが可能である。内部発電機によって発生させられる電力に加えて、バッテリーバンク２６は、また、適切に動作するようにタッチスクリーンロック構成体１０を支援するための電力を提供することが可能である。ギヤトレインの複雑さに応じて、タッチスクリーンロック構成体１０が適切に動作するのに十分な電力を内部発電機に発生させるために、パワークランク２０を移動させることが要求される回数が増加する可能性がある。権限のある個人に、増加した回数だけパワークランク２０を移動させるというよりもむしろ、バッテリーバンク２６は、また、電力を提供することが可能であり、権限のある個人が最小回数だけパワークランクを移動させ、内部発電機に電力を発生させることができるようになっており、内部発電機は、次いで、バッテリーバンク２６によって提供される電力によって補充される。タッチスクリーンロック構成体１０は、本明細書の説明を与えられる当業者によって理解されることとなるように、内部発電機のみによって発生させられる電力、バッテリーバンク２６のみによって発生させられる電力、および／または、内部発電機とバッテリーバンク２６との組み合わせによって発生させられる電力から動作することが可能である。
【００３８】
また、タッチスクリーンロック構成体１０は、複数の太陽電池２４を含み、タッチスクリーンロック構成体１０に電力を提供することを支援することが可能である。太陽電池２４のそれぞれは、太陽エネルギーを吸収することが可能であり、次いで、１つまたは複数のキャパシターを含むキャパシターバンクを吸収されたエネルギーによって充電することが可能である。太陽電池２４は太陽エネルギーを吸収するとき、キャパシターバンクの中に含まれるキャパシターのそれぞれが最大容量まで充電されるまで、キャパシターバンクの中に含まれるキャパシターのそれぞれが充電される。次いで、キャパシターバンクは、個人がパワークランク２０を移動させるときに、貯蔵された電力を放電し、内部発電機によって発生させられる電力を補充することが可能であり、権限のある個人が最小回数だけパワークランク２０を移動させ、タッチスクリーンロック構成体１０が適切に動作するのに十分な電力を提供することができるようになっている。ある実施形態では、太陽電池のそれぞれは、ハブ１２の上に位置決めされ得る。しかし、太陽電池は、本明細書の説明を与えられる当業者によって理解されることとなるように、タッチスクリーンロック構成体の上のどこかに位置決めされ得、および／または、タッチスクリーンロック構成体１０に連結され、太陽エネルギーを十分に吸収し、キャパシターバンクを充電することが可能である。
【００３９】
図２は、タッチスクリーンロック構成体１０のための電力を発生させるためのハブ１２の分解図である。上記に述べられているように、権限のある個人は、タッチスクリーンロック構成体１０を活性化させるために、パワークランク２０を移動させることが可能である。パワークランク２０は、回転可能なハブ３２を介して、発電機構成体３０およびギヤトレイン２８に連結されている。権限のある個人がパワークランク２０を移動させるたびに、ギヤトレイン２８が回転し、同様に、発電機構成体３０も回転する。発電機構成体３０およびギヤトレイン２８のそれぞれの回転によって、発電機構成体３０は、タッチスクリーンロック構成体１０によって消費されることとなる電力を発生させる。
【００４０】
ある実施形態では、権限のある個人は、パワークランク２０を下向き方向３４に移動させることが可能である。権限のある個人がパワークランク２０を下向き方向３４に移動させるたびに、ギヤトレイン２８が回転し、同様に、発電機構成体３０も回転し、発電機構成体３０によって発生させられる電力を結果として生じさせる。別の実施形態では、権限のある個人は、パワークランク２０を上向き方向３６に移動させることが可能である。権限のある個人がパワークランク２０を上向き方向３６に移動させるたびに、ギヤトレイン２８が回転し、同様に、発電機構成体３０も回転し、発電機構成体３０によって発生させられる電力を結果として生じさせる。別の実施形態では、権限のある個人は、パワークランク２０を下向き方向３４および上向き方向３６に移動させることが可能である。個人がパワークランク２０を下向き方向３４および上向き方向３６に移動させるたびに、ギヤトレイン２８が回転し、同様に、発電機構成体３０も回転し、発電機構成体３０によって発生させられる電力を結果として生じさせる。
【００４１】
タッチスクリーンロック構成体１０が適切に動作するのに十分な電力を発生させるために、権限のある個人がパワークランク２０を移動させることとなる回数は、ギヤトレイン２８の複雑さに依存する。ギヤトレイン２８の複雑さが増加するにつれて、タッチスクリーンロック構成体１０が適切に動作するのに十分な電力を発生させるために、権限のある個人がパワークランク２０を移動させることとなる回数は減少する。ギヤトレイン２８の複雑さが減少するにつれて、タッチスクリーンロック構成体１０が適切に動作するのに十分な電力を発生させるために、権限のある個人がパワークランク２０を移動させることとなる回数は増加する。
【００４２】
たとえば、個人は、ギヤトレイン２８が増加した複雑さのものであるときには、タッチスクリーンロック構成体１０が適切に動作するのに十分な電力を発生させるために、パワークランク２０を下向き方向３４に１回移動させ、上向き方向３６に１回移動させなければならない可能性がある。別の例では、個人は、構成が減少した複雑さのものであるときには、タッチスクリーンロック構成体１０が適切に動作するのに十分な電力を発生させるために、パワークランク２０を下向き方向３４に５回移動させ、上向き方向３６に５回移動させなければならない可能性がある。
【００４３】
典型的に、ギヤトレイン２８のコストは、複雑さが増加するにつれて増加する。したがって、発電機構成体３０によって発生させられる電力は、ギヤトレイン２８が減少した複雑さのものであるときには、太陽電池２４によって提供される電力、および、バッテリーバンク２６によって提供される電力によって補充され得る。ギヤトレイン２８が減少した複雑さのものであるときに、権限のある個人にパワークランク２０を数回移動させるというよりもむしろ、権限のある個人は、パワークランク２０を１回または２回移動させ、発電機構成体３０に電力を発生させ、次いで、太陽電池２４およびバッテリーバンク２６によって提供される電力によってその電力を補充することが可能である。そうする際に、大きい外部電力供給源の使用によって適切に動作するのに十分な電力が、タッチスクリーンロック構成体１０に提供され得る。
【００４４】
ある実施形態では、発電機構成体３０は、タッチスクリーンロック構成体３８の正面図に対してケーシング１８の前にあるハブ１２の中に位置決めされ得る。別の実施形態では、発電機構成体３０は、タッチスクリーンロック構成体３８の正面図に対してケーシング１８の後ろに位置決めされ得る。別の実施形態では、第１の発電機が、ケーシング１８の前にあるハブ１２の中に位置決めされ得、第２の発電機が、タッチスクリーンロック構成体３８の正面図に対してケーシング１８の後ろに位置決めされ得る。そのような実施形態では、第１の発電機と第２の発電機との間のワイヤレス通信が、第１の発電機と第２の発電機との間で送信される赤外線信号を介して起こることが可能である。別の実施形態では、ワイヤードインターフェースが、第１の発電機と第２の発電機との間に存在することが可能である。
【００４５】
図３は、タッチスクリーンロック構成体３８の概略図である。上記に述べられているように、発電機構成体３０は、権限のある個人によるパワークランク２０の移動のときに、電力を発生させることが可能である。権限のある個人によるパワークランク２０のそれぞれの移動によって、発電機構成体３０によって発生させられる電力が増加する。十分な量の電力を発生させるのに十分な回数だけ、個人がパワークランク２０を移動させた後に、発電機構成体３０は、タッチスクリーンロック構成体３８が適切に動作するのに十分な電力を提供することが可能である。太陽電池２４は、太陽エネルギーを吸収し、キャパシターバンク４２を充電し、発電機構成体３０によって発生させられる電力を補充することが可能である。また、バッテリーバンク２６が、発電機構成体によって発生させられる電力を補充することも可能である。したがって、電力が発電機構成体３０によって提供されており、タッチスクリーンロック構成体３８の物理的なフットプリントの中に留まっている状態で、タッチスクリーンロック構成体３８が適切に動作するのに十分な電力を提供するために、大きい外部電力供給源が必要とされないようになっているという点において、タッチスクリーンロック構成体３８は、電源内蔵式である。
【００４６】
コントローラー４０は、発電機構成体３０によって発生させられる電力をモニタリングすることが可能である。コントローラー４０は、発電機構成体３０によって発生させられる電力をモニタリングし、発電機構成体３０によって発生させられる電力が閾値を超えるときを決定することが可能である。閾値は、必要とされるときにタッチスクリーンロック構成体３８の機能のそれぞれが権限のある個人に提供され得るように、タッチスクリーンロック構成体３８が適切に動作するために必要とされる電力の量である。たとえば、閾値は、アクティブタッチスクリーン１４を適切に動作させ、アクティブタッチスクリーン１４によって表示される機能のそれぞれを提供し、ボルト後退メカニズムのモータードライブ回路４４を適切に動作させることなどのために、タッチスクリーンロック構成体３８によって必要とされる電力の量である。
【００４７】
コントローラー４０は、プロセッサー、メモリー、およびネットワークインターフェースを含み、以降では、コンピューティングデバイスと称されるか、または、単純に「コンピューター」と称される。コントローラー４０は、任意のタイプのプロセッシング（または、コンピューティングデバイス）であることが可能である。たとえば、コントローラー４０は、データ情報システム、データ管理システム、ウェブサーバー、および／または、ファイル転送サーバーを含むことが可能である。また、コントローラー４０は、ワークステーション、モバイルデバイス、コンピューター、コンピューターのクラスター、セットトップボックス、または、他のコンピューティングデバイスであることも可能である。ある実施形態では、複数のモジュールが、同じコンピューティングデバイスの上に実装され得る。別の実施形態では、複数のモジュールが、異なるコンピューティングデバイスの上に実装され得る。そのようなコンピューティングデバイスは、ソフトウェア、ファームウェア、ハードウェア、または、それらの組み合わせを含むことが可能である。ソフトウェアは、オペレーティングシステムの上に１つまたは複数のアプリケーションを含むことが可能である。ハードウェアは、それに限定されないが、プロセッサー、メモリー、および／またはグラフィカルユーザーインターフェースディスプレイを含むことが可能である。
【００４８】
コントローラー４０が、発電機構成体３０によって発生させられる電力をモニタリングするとき、コントローラー４０は、アクティブタッチスクリーン１４、ボルト後退メカニズムのモータードライブ回路４４、および／または、タッチスクリーンロック構成体３８の他の機能のそれぞれを、非活性化状態に維持することが可能であり、発電機構成体３０によって発生させられる電力が閾値未満に留まっているときに、電力消費を保存するようになっている。発電機構成体３０によって発生させられる電力が閾値を超えた後に、コントローラー４０は、次いで、アクティブタッチスクリーン１４、ボルト後退メカニズムのモータードライブ回路４４、および／または、タッチスクリーンロック構成体３８の他の機能のそれぞれを活性化させることが可能である。たとえば、コントローラー４０は、権限のある個人が適当な文字を選択して所定の組み合わせコードを入力するための文字を表示するように、および、ボルト２２が「ＬＯＣＫＥＤ」位置にあるということを表示するように、アクティブタッチスクリーン１４に命令することが可能である。
【００４９】
太陽電池２４は、光源などのようなソーラー供給源から太陽エネルギーを獲得する。太陽電池２４は、単一のおよび／または複数の太陽電池を含むことが可能であり、単一のおよび／または複数の太陽電池は、太陽エネルギーを獲得された電力に変換し、それは、キャパシターバンク４２によって貯蔵される。ソーラー供給源が利用可能であるときに、および、ソーラー供給源が、太陽電池２４が獲得するのに十分な様式で太陽エネルギーを放射しているときに、太陽電池２４は、太陽エネルギーを獲得することが可能である。太陽電池２４は、それに限定されないが、単結晶シリコン、多結晶シリコン、アモルファスシリコン、テルル化カドミウム、銅セレン化インジウム、薄膜層、有機染料、有機ポリマー、ナノ結晶、および／または、本開示の精神および範囲から逸脱することなく当業者に明らかになることとなる任意の他のタイプの太陽光発電ソーラーパネルとして分類される太陽光発電ソーラーパネルを含むことが可能である。また、太陽電池２４は、本開示の精神および範囲から逸脱することなく当業者に明らかになることとなる、太陽エネルギーを獲得するのに十分な任意の形状および／またはサイズであることが可能である。
【００５０】
また、コントローラー４０は、発電機構成体３０によって発生させられる電力に加えて、キャパシターバンク４２の充電をモニタリングし、発電機構成体３０によって発生させられる電力およびキャパシターバンク４２の充電が、集合的に閾値を超えたかどうかを決定することが可能である。キャパシターバンク４２の充電および発電機構成体３０によって発生させられる電力が閾値を超えるときに、コントローラー４０は、次いで、アクティブタッチスクリーン１４、ボルト後退メカニズムのモータードライブ回路４４、および／または、タッチスクリーンロック構成体３８の他の機能のそれぞれを活性化させることが可能である。たとえば、コントローラー４０は、権限のある個人がアクティブタッチスクリーン１４を介して所定の組み合わせコードを正しく入力するときに、ロック位置からアンロック位置へ移転するように、ボルト後退メカニズムのモータードライブ回路４４に命令することが可能であり、また、ボルト２２が「ＵＮＬＯＣＫＥＤ」位置にあるということを表示するように、アクティブタッチスクリーン１４に命令することが可能である。
【００５１】
ある実施形態では、太陽電池２４は、権限のある個人によって要求されるような機能のそれぞれをタッチスクリーンロック構成体３８が適切に実行するのに十分な太陽エネルギーを、ソーラー供給源から獲得することが可能である。そうする際に、太陽電池２４は、太陽エネルギーを直流電流（ＤＣ）電力に変換することが可能であり、バッテリーバンク２６などのようなバッテリーバンクの中にＤＣ電力を貯蔵することが可能である。バッテリーバンクは、キャパシターバンク４２と比較して増加した容量を有しており、太陽電池２４によって獲得される太陽エネルギーから変換された増加した量のＤＣ電力を貯蔵することが可能である。次いで、コントローラー４０は、太陽電池２４によって提供されるバッテリーバンクの中に貯蔵されたＤＣ電力に基づいて、タッチスクリーンロック構成体３８を動作させることが可能である。
【００５２】
バッテリーバンク２６は、電力を貯蔵する。バッテリーバンク２６は、電力を提供するようにコントローラー４０によって要求されるまで、電力を貯蔵することが可能である。バッテリーバンク２６は、１つもしくは複数のリチウムイオンホスフェート（ＬｉＦｅＰＯ４）、および／または、１つもしくは複数の鉛蓄電池を含むことが可能である。しかし、この例は、限定するものではなく、当業者は、本開示の範囲および精神から逸脱することなく、他のバッテリー化学を使用して、バッテリーバンク２６を実装することが可能である。バッテリーバンク２６の１つまたは複数のセルは、電気機械的な反応を介して、化学エネルギーを電気エネルギーへ変換する。
【００５３】
また、コントローラー４０は、キャパシターバンク４２の充電および発電機構成体３０によって発生させられる電力に加えて、バッテリーバンク２６のパワーレベルをモニタリングし、発電機構成体３０によって発生させられる電力、キャパシターバンク４２の充電、および、バッテリーバンク２６のパワーレベルが、集合的に閾値を超えたかどうかを決定することが可能である。バッテリーバンク２６のパワーレベル、キャパシターバンク４２の充電、および、発電機構成体３０によって発生させられる電力が閾値を超えるときに、コントローラー４０は、次いで、アクティブタッチスクリーン１４、ボルト後退メカニズムのモータードライブ回路４４、および／または、タッチスクリーンロック構成体３８の他の機能のそれぞれを活性化させることが可能である。たとえば、コントローラー４０は、権限のある個人によって要求されるような異なるメニューへディスプレイを変更するように、アクティブタッチスクリーン１４に命令することが可能である。
【００５４】
コントローラー４０は、どの電力がタッチスクリーンロック構成体３８によって消費されることとなるかを決定することが可能である。コントローラー４０は、発電機構成体３０によって発生させられる電力、キャパシターバンク４２の中に貯蔵されている電力、および／または、バッテリーバンク２６の中に貯蔵されている電力が、発電機構成体３０、キャパシターバンク４２、およびバッテリーバンク２６、ならびに、権限のある個人が要求している機能に基づいて消費されることとなるかどうかということを決定することが可能である。コントローラー４０は、要求される機能を権限のある個人に適切に提供するために必要とされる電力、ならびに、発電機構成体３０、キャパシターバンク４２、およびバッテリーバンク２６のそれぞれのパワーレベルを評価し、電力供給源および／またはその組み合わせのどれが、要求される機能を実行するためにアクセスされることとなるかということを決定することが可能である。
【００５５】
たとえば、コントローラー４０は、タッチスクリーンロック構成体３８が現在は休眠状態になっていること、および、権限のある個人によって係わられていないということを評価することが可能である。そうする際に、コントローラー４０は、低いレベルの電力が要求されるということ、および、キャパシターバンク４２が現在ではアクティブタッチスクリーン１４に給電するのに十分な充電を有しているということを評価することが可能であり、アクティブタッチスクリーン１４が「ＬＯＣＫＥＤ」を表示するようになっている。次いで、コントローラー４０は、キャパシターバンク４２が電力をアクティブタッチスクリーン１４に提供するようにさせることが可能であり、発電機構成体３０によって発生させられる電力、および、バッテリーバンク２６によって貯蔵されている電力を組み込む必要なしに、アクティブタッチスクリーン１４が「ＬＯＣＫＥＤ」を表示するようになっている。
【００５６】
別の例では、コントローラー４０は、権限のある個人が、アクティブタッチスクリーン１４に係わることを要求しているということ、および、タッチスクリーンロック構成体３８からリモートコンピューティングデバイス５０へのアクセスデータの転送を要求しているということを評価することが可能である。そうする際に、コントローラー４０は、高いレベルの電力が必要とされているということ、および、発電機３０によって発生させられる電力が、権限のある個人によって必要とされる機能を実行するのに不十分であるということを評価することが可能である。しかし、コントローラー４０は、発電機構成体３０によって発生させられる電力、キャパシターバンク４２の電流充電、および、バッテリーバンク２６の中に貯蔵されている電力が、集合的に、リモートコンピューティングデバイス５０へのアクセスデータの転送を実行するのに十分であるということを決定することが可能である。次いで、コントローラー４０は、発電機構成体３０、キャパシターバンク４２、およびバッテリーバンク２６を有し、アクセスデータの転送を実行するために電力を提供することが可能である。
【００５７】
タッチスクリーンロック構成体３８は、任意のタイプの電力供給源、および／または、電力供給源の組み合わせを組み込み、本明細書の説明を与えられる当業者によって理解されることとなるような任意の機能および／または機能の組み合わせを実行することが可能である。たとえば、詳細に下記に議論されている任意の機能および／または機能の組み合わせは、発電機構成体３０などのような１つまたは複数の発電機によって提供される電力の消費を介して、コントローラー４０によって実行され得る。別の例では、本明細書で議論されている任意の機能および／または機能の組み合わせは、バッテリーバンク２６などのような１つまたは複数のバッテリーによって提供される電力の消費を介して、コントローラー４０によって実行され得る。別の例では、詳細に下記に議論されている任意の機能および／または機能の組み合わせは、太陽電池２４などのようなソーラーパワーによって提供される電力の消費を介して、コントローラーによって実行され得る。詳細に上記に議論されているように、コントローラー４０は、また、特定の機能および／または機能の組み合わせの実行のための電力を提供することとなる特定の電力供給源を決定するために、タッチスクリーンロック構成体３８によって実行されることとなる、詳細に下記に議論されているそれぞれの機能および／または機能の組み合わせを評価することが可能である。
【００５８】
上記に述べられているように、タッチスクリーンロック構成体３８は、アクティブタッチスクリーン１４を含む。アクティブタッチスクリーン１４は、権限のある個人がタッチスクリーンロック構成体３８と相互作用することを可能にするタッチスクリーンである。アクティブタッチスクリーン１４は、権限のある個人に表示される単一のスクリーンショットに限定されない。むしろ、アクティブタッチスクリーン１４は、いくつかの異なるスクリーンショットを有することが可能であり、それらは、権限のある個人が選択するための異なる機能を提供する異なるスクリーンショットのそれぞれによって、権限のある個人に表示され得る。権限のある個人は、選択するための異なる機能を有する異なるメニューのそれぞれを備えたアクティブタッチスクリーン１４によって提供される異なるメニューを選択することによって、異なるスクリーンショットのそれぞれを通じてナビゲートすることが可能である。また、権限のある個人は、権限のある個人がアクティブタッチスクリーン１４によって表示されるスクリーンショットを変更することを可能にする矢印ボタンなどを組み込むことによって、スクリーンショットのそれぞれを通じてナビゲートすることが可能である。また、権限のある個人は、アクティブタッチスクリーン１４を横切ってスワイプすることによって、たとえば、それに限定されないが、アクティブタッチスクリーン１４の左から右へ、および／または、アクティブタッチスクリーン１４の右から左へスワイプすることによって、スクリーンショットのそれぞれを通じてナビゲートすることが可能である。
【００５９】
たとえば、アクティブタッチスクリーン１４は、アクティブタッチスクリーン１４によって表示される位置１６（ａ〜ｎ）の量に対応する文字の量を単純に表示することに限定されない。図１では、アクティブタッチスクリーン１４は、１０個の異なる位置１６（ａ〜ｎ）を表示しており、そこでは、異なる位置１６（ａ〜ｎ）のそれぞれが、所定の組み合わせコードを入力するときに、権限のある個人がそこから選択するための異なる文字を表示することが可能である。しかし、権限のある個人に表示される文字の量を１０個に限定するというよりもむしろ、権限のある個人は、アクティブタッチスクリーン１４によって表示されるスクリーンショットをスクロールして変更することが可能であり、別の１０個の文字が権限のある個人に表示されるようになっている。権限のある個人は、アクティブタッチスクリーン１４によって表示されるスクリーンショットをスクロールして変更することが可能であり、別の１０個の文字が権限のある個人に表示されるようになっている。
【００６０】
図１に示されているような別の例では、アクティブタッチスクリーン１４は、４つの異なるスクリーンショットに関する１０個の異なる位置１６（ａ〜ｎ）を表示しており、そこでは、１０個の異なる位置１６（ａ〜ｎ）のそれぞれの中に表示される文字は、４つの異なるスクリーンショットのそれぞれにおいて異なっている。第１のスクリーンショットは、１０個の異なる位置１６（ａ〜ｎ）のそれぞれの中に、０から９の数字を表示することが可能である。第１のスクリーンショットは、デフォルトスクリーンショットであることが可能であり、そこでは、タッチスクリーンロック構成体３８の起動のときに、アクティブタッチスクリーン１４によって表示される初期スクリーンショットは、数字０から９を表示するスクリーンショットであることが可能である。アクティブタッチスクリーン１４が、数字０から９を表示する第１のスクリーンショットを表示するたびに、数字から９のそれぞれの位置１６（ａ〜ｎ）は、ランダムに変更され得、アクティブタッチスクリーン１４によって表示される数字０から９のそれぞれの位置１６（ａ〜ｎ）が変化するようになっている。
【００６１】
アクティブタッチスクリーン１４によって表示される第２のスクリーンショットは、１０個の異なる位置１６（ａ〜ｎ）のそれぞれの中に、文字ＡからＪを表示することが可能である。第２のスクリーンショットは、大文字、小文字、および／または、それらの任意の組み合わせとして、文字ＡからＪを表示することが可能である。権限のある個人は、アクティブタッチスクリーンディスプレイ１４を介して大文字および／または小文字として表示されている文字ＡからＪを移行させることが可能である。アクティブタッチスクリーン１４が、文字ＡからＪを表示する第２のスクリーンショットを表示するたびに、文字ＡからＪのそれぞれの位置１６（ａ〜ｎ）は、ランダムに変更され得、アクティブタッチスクリーン１４によって表示される文字ＡからＪのそれぞれの位置１６（ａ〜ｎ）が変化するようになっている。
【００６２】
アクティブタッチスクリーン１４によって表示される第３のスクリーンショットは、１０個の異なる位置１６（ａ〜ｎ）のそれぞれの中に、文字ＫからＴを表示することが可能である。第３のスクリーンショットは、大文字、小文字、および／または、それらの任意の組み合わせとして、文字ＫからＴを表示することが可能である。権限のある個人は、アクティブタッチスクリーンディスプレイ１４を介して大文字および／または小文字として文字ＫからＴを移行させることが可能である。アクティブタッチスクリーン１４が、文字ＫからＴを表示する第３のスクリーンショットを表示するたびに、文字ＫからＴのそれぞれの位置１６（ａ〜ｎ）は、ランダムに変更され得、アクティブタッチスクリーン１４によって表示される文字ＫからＴのそれぞれの位置１６（ａ〜ｎ）が変化するようになっている。
【００６３】
アクティブタッチスクリーン１４によって表示される第４のスクリーンショットは、１０個の異なる位置１６（ａ〜ｎ）のそれぞれの中に、文字ＵからＺを表示することが可能である。第４のスクリーンショットは、大文字、小文字、および／または、それらの任意の組み合わせとして、文字ＵからＺを表示することが可能である。権限のある個人は、アクティブタッチスクリーンディスプレイ１４を介して大文字および／または小文字として文字ＵからＺを移行させることが可能である。アクティブタッチスクリーン１４が、文字ＵからＺを表示する第４のスクリーンショットを表示するたびに、文字ＵからＺのそれぞれの位置１６（ａ〜ｎ）は、ランダムに変更され得、アクティブタッチスクリーン１４によって表示される文字ＵからＺのそれぞれの位置１６（ａ〜ｎ）が変化するようになっている。
【００６４】
また、アクティブタッチスクリーン１４は、位置１６（ａ〜ｎ）の中にＳＰＥＣＩＡＬ文字を表示することが可能であり、ここで、ＳＰＥＣＩＡＬ文字は、数字および／または文字ではない字、たとえば、それに限定されないが、＠、および＄＃などの字などを含む。アクティブタッチスクリーン１４が、ＳＰＥＣＩＡＬ文字を表示するスクリーンショットを表示するたびに、ＳＰＥＣＩＡＬ文字のそれぞれの位置１６（ａ〜ｎ）は、ランダムに変更され得、アクティブタッチスクリーン１４によって表示されるＳＰＥＣＩＡＬ文字のそれぞれの位置１６（ａ〜ｎ）が変化するようになっている。また、アクティブタッチスクリーン１４は、位置１６（ａ〜ｎ）の中に、ＣＨＩＮＥＳＥ文字および／またはＡＲＡＢＩＣ文字を表示することが可能である。
【００６５】
そのような例では、異なるスクリーンショットによって文字を分類することは、文字のそれぞれの位置１６（ａ〜ｎ）がスクリーンショット毎に変更されることを可能にする。アクティブタッチスクリーン１４が多量の文字を１度に表示し、次いで、文字のそれぞれの位置１６（ａ〜ｎ）をランダムに変更するというよりもむしろ、より少量の文字が、異なるスクリーンショットのそれぞれの中に表示され得、文字のそれぞれの位置１６（ａ〜ｎ）が、変更されている異なるスクリーンショットのそれぞれの中に表示される状態になっている。これは、権限のある個人が所定の組み合わせコードを入力することを試みるたびに、権限のある個人が所定の組み合わせの中に含まれる文字のそれぞれを識別する際により苦労しないことを可能にすることができる。たとえば、権限のある個人は、単一のスクリーンショットの中に表示される４０個の異なる文字の中に表示されるようなすべての８個の文字の位置１６（ａ〜ｎ）を識別しなければならないというよりもむしろ、１０個の位置１６（ａ〜ｎ）の中に１０個の文字をそれぞれ表示する４つの異なるスクリーンショットのそれぞれの中に表示されるような、所定の組み合わせコードの中に含まれる２つの文字の位置１６（ａ〜ｎ）を識別することが可能である。
【００６６】
さらに、異なるスクリーンショットを横切って広げられるより少量の文字を表示するフレキシビリティーは、多量の文字を組み込む所定の組み合わせコードが実装されることを可能にし、権限のある個人によって容易に覚えられ得る所定の組み合わせコードが選択されることも可能にしながら、権限のない個人が所定の組み合わせコードを決定するリスクを減少させる。たとえば、互いに関係のない文字のシーケンスを含む４３文字の所定の組み合わせコードは、権限のある個人が覚えるには困難である可能性がある。しかし、「Ｔｈｅ  ｑｕｉｃｋ  ｂｒｏｗｎ  ｆｏｘ  ｊｕｍｐｓ  ｏｖｅｒ  ｔｈｅ  ｌａｚｙ  ｄｏｇ  ２  ＠  ３：００  ＰＭ」という文字のシーケンスを含む４３文字の所定の組み合わせコードは、４３個の文字列とは対照的に権限のある個人が暗記することができる文章として、権限のある個人によって識別され得る。権限のある個人が所定の組み合わせコードを覚えることの容易さも増加された状態で、所定の組み合わせコードの中に含まれる増加した量の文字に起因して、権限のない個人が所定の組み合わせコードを決定する可能性が減少される。
【００６７】
所定の組み合わせコードの中に含まれ、アクティブタッチスクリーン１４によって異なる位置１６（ａ〜ｎ）および異なるスクリーンショットのそれぞれの中に表示される文字は、任意の量の文字を含むことが可能であり、本明細書の説明を与えられる当業者によって理解されることとなるように、異なるスクリーンショットのいずれかの間の任意の位置１６（ａ〜ｎ）に表示され得る。所定の組み合わせコードが、コントローラー４０によって必要とされるような任意の指定されたシーケンスで入力されることとなる文字の任意の組み合わせを含むことができるように、コントローラー４０はプログラムされ得る。また、コントローラー４０は、権限のない個人によって決定される影響を高度に受けやすい可能性のある「００  ００  ００」などのような文字の異なるシーケンスが所定の組み合わせコードの中に含まれることを防止するようにプログラムされ得る。コントローラー４０は、本明細書の説明を与えられる当業者によって理解されることとなるように、所定の組み合わせコードの中に含まれ得る文字のタイプおよび／または文字のシーケンスに関連付けられた任意のタイプのルールを含むようにプログラムされ得る。
【００６８】
そうする際に、所定の組み合わせコードの中に含まれる文字は、１０個の異なる文字から選択されることに限定されず、また、アクティブタッチスクリーン１４によって表示されるような単一のスクリーンショットの中に表示されることに限定されない。第１および第２の文字が、８個の他の文字とともに、第１のスクリーンショットの中に表示され得、次いで、権限のある個人は、次いで、第２のスクリーンショットへスクロールしなければならない可能性があり、第２のスクリーンショットは、以前には第１のスクリーンショットの中に表示されていなかった８個の異なる文字とともに、残りの文字を表示しており、それによって、タッチスクリーンロック構成体３８のセキュリティーを大いに増加させる。
【００６９】
ある実施形態では、権限のある個人がタッチスクリーンロック構成体１４の機能を通じてナビゲートし、および、タッチスクリーンロック構成体３８によって実行されることを権限のある個人が要求する機能を選択するときに、権限のある個人は、アクティブタッチスクリーン１４に直接的にタッチすることが可能である。別の実施形態では、権限のある個人は、ノブを介して、アクティブタッチスクリーン１４によって表示される機能を通じてナビゲートすることが可能である。権限のある個人は、本明細書の説明を与えられる当業者によって理解されることとなるように、権限のある個人がタッチスクリーンロック構成体３８の機能のそれぞれにアクセスすることを可能にする任意の様式で、アクティブタッチスクリーン１４によって表示される機能を通じてナビゲートすることが可能である。アクティブタッチスクリーン１４は、それに限定されないが、タッチスクリーンディスプレイ、液晶ディスプレイ（ＬＣＤ）スクリーン、電気泳動ディスプレイ、および／または、本開示の精神および範囲から逸脱することなく当業者に明らかになることとなる任意の他のタイプのディスプレイを含む、任意のタイプのディスプレイデバイスであることが可能である。また、アクティブタッチスクリーン１４は、低いパワー要件を有することが可能である。
【００７０】
ある実施形態では、アクティブタッチスクリーン１４は、それに限定されないが、Ｅｉｎｋ（登録商標）ディスプレイなどのような、電気泳動ディスプレイを含むことが可能である。電気泳動ディスプレイは、多数のマイクロカプセルを含むことが可能であり、それぞれのマイクロカプセルは、プラスに帯電された白色の粒子およびマイナスに帯電された黒色の粒子を含み、それらは、透明な流体の中にカプセル化されている。プラスの電圧が特定のマイクロカプセルに印加されるとき、白色の粒子が、ディスプレイの表面に上昇する。マイナスの電圧が特定のマイクロカプセルに印加されるとき、黒色の粒子が、ディスプレイの表面に上昇し、ディスプレイの上の黒色のインクのように見える、ディスプレイの上に現れる黒色の色素としての表現を提供する。
【００７１】
電気泳動ディスプレイ、または、本発明の態様を実施するために使用される任意の他の電子ディスプレイ技術は、コントローラー４０が表示されている画像を変更しない限り、ディスプレイが電力を消費しないという点において、最小パワー要件を有することが可能である。電気泳動ディスプレイは、電気泳動ディスプレイによって表示されている画像を維持するために、連続的な信号制御を必要とせず、それによって、表示されている画像を維持するために電力を必要としない。それに限定されないが、電気泳動ディスプレイ（それは、この一般的な様式で機能する）を含む、それと一貫するロックに関連して使用される任意の他のディスプレイが、本明細書で開示されている電源内蔵式のタイプなどのような、低電力ロックの中に同様の能力を実現する目的のために使用され得るということが認識されることとなる。たとえば、権限のある個人がタッチスクリーンロック構成体３８をロック状態へと移転した後に、コントローラーは、表示されている内容を「ＬＯＣＫＥＤ」へと変更するように、電気泳動ディスプレイに命令する。次いで、電気泳動ディスプレイは、電気泳動ディスプレイが、コントローラー４０によって表示されている内容を変更するように要求されるまで、電力を消費することなく、「ＬＯＣＫＥＤ」を表示し続けることが可能である。そうする際に、電気泳動ディスプレイは、タッチスクリーンロック構成体３８が権限のある個人によって係わられていないときに、タッチスクリーンロック構成体３８の状況が、電力を消費することのない状態であるということを明確に表示することが可能である。
【００７２】
電気泳動ディスプレイによって表示されている画像を、コントローラー４０によって要求されるように変更するために必要とされる電力の量は、最小である。コントローラー４０は、電気泳動ディスプレイの異なるパーティションが、コントローラー４０が電気泳動ディスプレイに表示するように要求する画像に応じて、それぞれの異なるパーティションの中に含まれるマイクロカプセルによって表示されている色を、白色から黒色へ、および／または、黒色から白色へ変更することを要求することが可能である。上記に述べられているように、プラスの電圧が、特定のマイクロカプセルに印加され、マイクロカプセルの中に含まれている白色の粒子をディスプレイの表面に上昇させ、それによって、プラスの電圧を受け取ったマイクロカプセルを含む特定のパーティションの中に「ブランク」を表示する。マイナスの電圧が、特定のマイクロカプセルに印加され、マイクロカプセルの中に含まれる黒色の粒子をディスプレイの表面に上昇させ、それによって、マイナスの電圧を受け取ったマイクロカプセルを含む特定のパーティションの中に「黒色の色素」を表示する。
【００７３】
電気泳動ディスプレイによって表示される画像を変更するために、黒色の粒子というよりもむしろ白色の粒子を表面に上昇させるために特定のマイクロカプセルに印加されるプラスの電圧の量、および、白色の粒子というよりもむしろ黒色の粒子を表面に上昇させるために特定のマイクロカプセルに印加されるマイナスの電圧の量は、最小である。たとえば、コントローラー４０は、電気泳動ディスプレイが、「ＬＯＣＫＥＤ」の画像を表示することから「ＵＮＬＯＣＫＥＤ」の画像を表示することへ変化することを要求することが可能である。
【００７４】
そうする際に、コントローラー４０は、電気泳動ディスプレイの中に含まれるパーティションにプラスの電圧を印加することが可能であり、そのパーティションは、マイクロカプセルを有しており、そのマイクロカプセルは、表面において黒色の粒子を有する状態から表面において白色の粒子を有する状態に移行することとなり、それぞれのパーティションが、電気泳動ディスプレイの上に「黒色の色素」を表示する状態から、「ブランク」を表示する状態に移行するようになっている。また、コントローラー４０は、電気泳動ディスプレイの中に含まれるパーティションにマイナスの電圧を表示することが可能であり、そのパーティションは、マイクロカプセルを有しており、そのマイクロカプセルは、表面において白色の粒子を有する状態から表面において黒色の粒子を有する状態に移行することとなり、それぞれのパーティションが、「ブランク」を表示する状態から、「黒色の色素」を表示する状態に移行するようになっている。電気泳動ディスプレイによって表示される画像を「ＬＯＣＫＥＤ」から「ＵＮＬＯＣＫＥＤ」へ変更するために、要求されるマイクロカプセルに印加されるプラスの電圧および／またはマイナスの電圧の量は、４０ｍＡにおいて３Ｖ程度の低さであることが可能であり、９Ｖを超えた範囲になることも可能である。電気泳動ディスプレイによって表示される画像を変更する電圧および／または電流の量は、本明細書の説明を与えられる当業者によって理解されることとなるように、画像を変更するために適当な黒色のおよび／または白色の粒子を表面に上昇させることを、要求されたマイクロカプセルに行わせるために必要とされる任意の電圧および／または電流であることが可能である。
【００７５】
電気泳動ディスプレイは、電気泳動ディスプレイを取り囲む周囲光が電気泳動ディスプレイから反射して人間の目によって受け取られることから、電気泳動ディスプレイによって表示される画像が人間の目によって見られ得るという点において、反射型ディスプレイであることが可能である。そうする際に、電気泳動ディスプレイは、画像が次いで人間の目によって受け取られるように、バックライトが電気泳動ディスプレイを通して光を投射することを必要としない。バックライトに対する必要性を排除する点において、電気泳動ディスプレイは、画像が人間の目によって適切に見られるように、画像を表示する際により少ない電力を消費する。
【００７６】
したがって、電気泳動ディスプレイとして組み込まれるアクティブタッチスクリーン１４は、タッチスクリーンロック構成体３８の発電機構成体３０によって提供される十分な電力を有することが可能である。そうする際に、アクティブタッチスクリーン１４は、コントローラー４０によって命令されるような画像のそれぞれを表示することが可能であり、権限のある個人がアクティブタッチスクリーン１４を通じて適切にナビゲートすることを可能にし、追加的な電力が外部電力供給源によって提供されることを必要とすることなく、タッチスクリーンロック構成体３８とインターフェースする際の権限のある個人の要求を満たし、それによって、電源内蔵式のタッチスクリーンロック構成体３８を提供する。
【００７７】
上記に述べられているように、コントローラー４０は、権限のある個人が所定の組み合わせコードを入力することを試みるたびに、異なる文字を表示するように、および、所定の組み合わせコードを入力することを試みるたびに、所定の組み合わせコードの中に含まれる文字を異なる位置に表示するように、アクティブタッチスクリーン１４に命令することが可能である。ある実施形態では、コントローラー４０は、ランダム数発生器を組み込むことが可能であり、ランダム数発生器は、アクティブタッチスクリーン１４によって表示されることとなる文字をランダムに選択し、また、所定の組み合わせコードの中に含まれる文字の位置をランダムに選択する。別の実施形態では、コントローラー４０は、権限のあるユーザーに表示されている異なるセットの文字を含むそれぞれのシーケンスによって、および、所定の組み合わせコードの中に含まれる文字の異なる位置を含むそれぞれのシーケンスによって、記憶されたいくつかの異なるシーケンスを有することが可能である。権限のある個人が所定の組み合わせコードを入力することを試みるたびに、コントローラー４０は、アクティブタッチスクリーン１４を介して権限のある個人に表示されることとなる文字の異なるシーケンスを選択することが可能である。コントローラー４０は、本明細書の説明を与えられる当業者によって理解されることとなるように、表示されている文字、および、所定の組み合わせコードの中に含まれる文字の位置決めを変更する任意の様式で、表示されることとなる文字、および、所定の組み合わせコードの中に含まれる文字の位置決めを決定することが可能である。
【００７８】
たとえば、権限のある個人は、パワークランク２０を移動させることによって、５  ０  ７  ０  ２の所定の組み合わせコードを入力することを試みることが可能である。コントローラー４０は、発電機構成体３０による電力の発生から、パワークランク２０の移動を検出することが可能である。次いで、コントローラーは、アクティブタッチスクリーン１４の中に以下のものを表示するために、ランダムに選択することが可能である。
Ｑが、位置１６ａの中に位置決めされている。
７が、位置１６ｂの中に位置決めされている。
＄が、位置１６ｃの中に位置決めされている。
５が、位置１６ｄの中に位置決めされている。
０が、位置１６ｅの中に位置決めされている。
０が、位置１６ｆの中に位置決めされている。
Ｖが、位置１６ｇの中に位置決めされている。
Ｇが、位置１６ｈの中に位置決めされている。
２が、位置１６ｉの中に位置決めされている。
：が、位置１６ｎの中に位置決めされている。
次いで、権限のある個人は、アクティブタッチスクリーン１４を介して位置１６ｄ、位置１６ｅ、位置１６ｂ、位置１６ｆ、および位置１６ｉを正しく押圧し、５  ０  ７  ０  ２の所定の組み合わせコードを入力することが可能である。次いで、コントローラー４０は、ロック状態からアンロック状態へ移転するように、タッチスクリーンロック構成体３８に命令し、それによって、タッチスクリーンロック構成体３８をアンロックする。次いで、コントローラー４０は、「ＵＮＬＯＣＫＥＤ」を表示するようにアクティブタッチスクリーン１４に命令することが可能であり、タッチスクリーンロック構成体３８がアンロック状態にあることを示す。次いで、権限のある個人は、アクティブタッチスクリーン１４に係わり、タッチスクリーンロック構成体３８がアンロック状態からロック状態へ移行することを要求することが可能である。次いで、コントローラー４０は、アンロック状態からロック状態へ移転するように、タッチスクリーンロック構成体３８に命令することが可能であり、それによって、タッチスクリーンロック構成体３８をロックする。次いで、コントローラー４０は、「ＬＯＣＫＥＤ」を表示するようにアクティブタッチスクリーンに命令することが可能であり、タッチスクリーンロック構成体３８がロック状態にあることを示す。
【００７９】
次いで、権限のある個人は、タッチスクリーンロック構成体３８のロックに続いて、２回目にパワークランク２０を移動させることによって、２回目に５  ０  ７  ０  ２の所定の組み合わせコードを入力することを試みることが可能である。コントローラー４０は、発電機構成体３０による電力の発生から、パワークランク２０の移動を検出することが可能である。次いで、コントローラーは、アクティブタッチスクリーン１４の中に以下のものを表示するために、ランダムに選択することが可能である。
２が、位置１６ａの中に位置決めされている。
Ｗが、位置１６ｂの中に位置決めされている。
７が、位置１６ｃの中に位置決めされている。
［が、位置１６ｄの中に位置決めされている。
Ｔが、位置１６ｅの中に位置決めされている。
８が、位置１６ｆの中に位置決めされている。
５が、位置１６ｇの中に位置決めされている。
０が、位置１６ｈの中に位置決めされている。
１が、位置１６ｉの中に位置決めされている。
０が、位置１６ｎの中に位置決めされている。
次いで、権限のある個人は、アクティブタッチスクリーン１４を介して位置１６ｇ、位置１６ｈ、位置１６ｃ、位置１６ｎ、および位置１６ａを正しく押圧し、５  ０  ７  ０  ２の所定の組み合わせコードを入力する。次いで、コントローラー４０は、ロック状態からアンロック状態へタッチスクリーンロック構成体３８に命令し、それによって、タッチスクリーンロック構成体３８をアンロックする。次いで、コントローラー４０は、「ＵＮＬＯＣＫＥＤ」を表示するようにアクティブタッチスクリーン１４に命令することが可能であり、タッチスクリーンロック構成体３８がアンロック状態にあることを示す。
【００８０】
そうする際に、アクティブタッチスクリーン１４の上に指紋識別材料を適用し、指紋を有するアクティブタッチスクリーン１４の位置１６（ａ〜ｎ）を識別することによって、所定の組み合わせコードを決定することを試みる権限のない個人は、成功しないこととなる。アクティブタッチスクリーン１４によって表示されるような所定の組み合わせコードの位置のランダムな変化は、タッチスクリーンロック構成体３８をアンロックすることを試みるたびに、権限のある個人が所定の組み合わせコードの異なる位置を選択することを可能にする。したがって、指紋を有する位置を識別することを試みる権限のない個人は、指紋から所定の組み合わせコードを識別することを試みる際に、成功しないこととなる。
【００８１】
ある実施形態では、コントローラー４０は、所定の組み合わせコードを定期的に調節することが可能である。何人かの異なる権限のある個人が金庫コンテナにアクセスする権限を有するときに、および、とりわけ、単一の例として、異なる権限のある個人が金庫コンテナにアクセスすることを制限され得るときに、コントローラー４０は、所定の組み合わせコードを定期的に調節することが可能である。そうする際に、コントローラー４０は、所定の組み合わせコードを定期的に調節することが可能であり、金庫コンテナにアクセスする権限を初期に与えられて次いでその権限をリボークさせた個人が、金庫コンテナに戻り、アクティブタッチスクリーン１４の中へ所定の組み合わせコードを正しく入力することができないようになっている。コントローラー４０は、所定の時間の期間が過ぎた後に、所定の組み合わせコードを調節することが可能であり、たとえば、２４時間毎に所定の組み合わせコードを調節することなどが可能である。また、コントローラー４０は、タッチスクリーンロック構成体３８が成功的にアンロックされた回数に基づいて、所定のコードを調節することが可能であり、たとえば、タッチスクリーンロック構成体３８がアンロックされるたびに、所定の組み合わせコードを調節することなどが可能である。アクティブタッチスクリーン１４のインターフェーシング能力は、コントローラー４０がこの能力を提供するように容易にプログラムされることを可能にすることができる。
【００８２】
たとえば、タッチスクリーンロック構成体３８は、忙しいレストランに位置付けされているレストルームの上に位置決めされ得る。レストランの非パトロンに対して、レストルームへの権限のないアクセスを防止するために、コントローラー４０は、パトロンが所定の組み合わせコードをアクティブタッチスクリーン１４の中へ正しく入力するたびに、所定の組み合わせコードを調節することが可能であり、それによって、タッチスクリーンロック構成体３８をアンロックし、レストルームへのアクセスを可能にする。そのような例では、コントローラー４０は、レストルームへのアクセスを要求する第１のパトロンに提示される第１の所定の組み合わせコードを発生させることが可能である。パトロンが成功的にレストルームに進入して立ち去った後に、コントローラー４０は、第２の所定の組み合わせコードを発生させることが可能であり、第１の所定の組み合わせコードを入力することによって、第１のパトロンが後でレストルームに戻ることを防止する。
【００８３】
ある実施形態では、コントローラー４０は、特定の時間において特定の所定の組み合わせコードへのアクセスを提供することが可能である。銀行業界などのような多くの用途において、異なる個人が、異なる金庫コンテナへアクセスすることができなければならない可能性があり、ここで、異なる金庫コンテナが異なる場所に位置決めされている。たとえば、異なる銀行支店場所で働く出納係が、第１の日付に第１の支店場所において第１の金庫コンテナへのアクセスを必要とする可能性があり、次いで、第２の日付に第２の支店場所において第２の金庫コンテナへのアクセスを必要とする可能性がある。タッチスクリーンロック構成体３８に関連付けられるコントローラー４０は、権限のある個人がタッチスクリーンロック構成体３８に関連付けられる金庫コンテナへのアクセスを与えられることとなる日付に基づいて、権限のある個人によって入力された所定の組み合わせコードへのアクセスを提供することが可能である。アクティブタッチスクリーン１４のインターフェーシング能力は、コントローラー４０がこの能力を提供するように容易にプログラムされることを可能にすることができる。
【００８４】
同じ例では、第１の銀行支店場所に関連付けられたタッチスクリーンロック構成体３８のコントローラー４０は、月曜日に所定の組み合わせコード２０  ３２  ４０に関連付けられる出納係にアクセスを提供するようにプログラムされ得る。出納係が月曜日に所定の組み合わせコード２０  ３２  ４０をアクティブタッチスクリーンの中へ入力した後に、コントローラー４０は、所定の組み合わせコード２０  ３２  ４０に関連付けられる出納係が、実際に月曜日に第１の銀行支店場所に位置決めされているロックコンテナへのアクセスを与えられることとなるということを、クロック５２から決定することが可能である。次いで、コントローラー４０は、アンロック状態へと移転するようにタッチスクリーンロック構成体３８に命令することが可能である。第２の銀行支店場所に関連付けられる第２のタッチスクリーンロック構成体の第２のコントローラーは、火曜日に所定の組み合わせコード２０  ３２  ４０に関連付けられる出納係にアクセスを提供するようにプログラムされ得る。次いで、出納係が火曜日に第２の銀行支店場所に位置決めされている金庫コンテナにアクセスすることを試みているということをクロック５２から検証した後に、第２のコントローラーは、同様の様式で金庫コンテナへのアクセスを提供することが可能である。
【００８５】
ある実施形態では、コントローラー４０は、コントローラー４０がアンロック状態へと移行するようにタッチスクリーンロック構成体３８に命令する前に、複数の異なる権限のある個人に関連付けられる複数の所定の組み合わせコードが、それらのそれぞれの所定の組み合わせコードをアクティブタッチスクリーン１４の中へ正しく入力することを必要とすることが可能である。たとえば、コントローラー４０は、第１の所定の組み合わせコードを伴う第１の権限のある個人が、第１の所定の組み合わせコードをアクティブタッチスクリーン１４の中へ正しく入力することを必要とすることが可能である。次いで、コントローラー４０は、第２の所定の組み合わせコードを伴う第２の権限のある個人が、第２の所定の組み合わせコードをアクティブタッチスクリーン１４の中へ正しく入力することを必要とすることが可能である。次いで、コントローラー４０は、ロック状態からアンロック状態へタッチスクリーンロック構成体３８に命令することが可能である。アクティブタッチスクリーン１４のインターフェーシング能力は、コントローラー４０がこの能力を提供するように容易にプログラムされることを可能にすることができる。たとえば、権限のある個人は、アクティブタッチスクリーン１４によって表示されるメニューオプションを通じてナビゲートし、「デュアルユーザー」モードを選択することが可能であり、次いで、異なる所定の組み合わせコードをアクティブタッチスクリーン１４の中へ入力することが可能であり、正しく入力されたときには、コントローラー４０は、アクティブタッチスクリーン１４へのアクセスを提供することとなる。
【００８６】
また、アクティブタッチスクリーン１４のインターフェーシング能力は、権限のある個人が実施したいと思う機能をタッチスクリーンロック構成体３８に実行させるように、適正なアクションを正しく実施するように権限のある個人に指示する際に、有用なフィードバックを権限のある個人に提供することが可能である。従来のロック構成体において行われているように、権限のある個人が所定の組み合わせコードなどを正しく入力したということを、権限のある個人に知らせるフィードバックとして、一連のビープ音を提供するというよりもむしろ、タッチスクリーンロック構成体３８のアクティブタッチスクリーン１４は、アクティブタッチスクリーン１４のディスプレイを介して、視覚的なフィードバックを提供することが可能である。
【００８７】
たとえば、ロック状態からアンロック状態へ移行するようにコントローラー４０がタッチスクリーンロック構成体３８に命令する前に、何人かの異なる権限のある個人が、いくつかの異なる所定の組み合わせコードを入力しなければならない可能性がある。アクティブタッチスクリーン１４は、いつ第１の権限のある個人が第１の所定の組み合わせコードを入力することとなるか、いつ第２の権限のある個人が第２の所定の組み合わせコードを入力することとなるか、いつ第３の権限のある個人が第３の所定の組み合わせコードを提供することとなるかなどについて、視覚的なフィードバックを提供することが可能である。正しくない所定の組み合わせコードが、正しくないシーケンスで入力される場合には、アクティブタッチスクリーン１４は、間違って入力されたものを明確に表示することが可能であり、正しいシーケンスで正しい所定の組み合わせコードを正しく入力するためにとるべきアクションについて、権限のある個人に明確に命令することが可能である。
【００８８】
ある実施形態では、コントローラー４０は、正しい所定の組み合わせコードがアクティブタッチスクリーン１４の中へ入力されるときに、ロック状態からアンロック状態へ移行するようにタッチスクリーンロック構成体３８に命令することが可能であるだけでなく、正しい所定の組み合わせコードが特定の時間および日付において入力されることを要求することも可能である。正しい所定の組み合わせコードが入力されたが、特定の時間および日付において入力されていない場合には、コントローラー４０は、ロック状態からアンロック状態へ移行するようにタッチスクリーンロック構成体３８に命令することを拒絶することが可能である。
【００８９】
そうする際に、コントローラー４０は、アクティブタッチスクリーン１４の中へ入力された所定の組み合わせコードが正しいかどうかを決定することが可能である。正しい所定の組み合わせコードが入力された場合には、コントローラー４０は、次いで、正しい所定の組み合わせコードがロックコンテナへのアクセスを与えられるべき時間および日付を決定することが可能である。コントローラーは、いつ所定の組み合わせコードが入力されるかについて、クロック５２から時間および日付を受け取ることが可能である。次いで、コントローラー４０は、クロック５２によって提供される時間および日付と、コントローラー４０によって記憶されている時間および日付（それは、コントローラー４０が金庫コンテナへのアクセスを提供するべき時間および日付である）とを比較することが可能である。その時間および日付における所定の組み合わせコードが、正しい所定のコードにマッチするだけでなく、正しい所定の組み合わせコードに関連付けられる権限のある個人にコントローラー４０が金庫コンテナへのアクセスを与えるべき時間および日付にマッチするときに、コントローラー４０は、ロック状態からアンロック状態へ移行するようにタッチスクリーンロック構成体３８に命令することが可能である。正しい所定の組み合わせコードが入力されたが、その正しい所定のコードが入力された時間および日付が、正しい所定の組み合わせコードに関連付けられる個人にコントローラー４０が金庫コンテナへのアクセスを与えるべき時間および日付にマッチしないときには、コントローラー４０は、ロック状態を維持するようにタッチスクリーンロック構成体３８に命令することが可能である。
【００９０】
アクティブタッチスクリーン１４のインターフェーシング能力は、コントローラー４０がこの能力を提供するように容易にプログラムされることを可能にすることができる。アクティブタッチスクリーン１４は、タイムロック機能によって権限のある個人を促すことが可能であり、コントローラー４０が正しい所定の組み合わせコードに関して金庫コンテナへのアクセスを提供するべき時間および日付を入力するように、権限のある個人を促すことが可能である。
【００９１】
ある実施形態では、コントローラー４０は、ロック状態からアンロック状態へ移行するようにタッチスクリーンロック構成体３８に命令する前に、時間遅延を組み込むことが可能である。権限のある個人が所定の組み合わせコードをアクティブタッチスクリーン１４の中へ正しく入力するときに、ロック状態からアンロック状態へ移行するようにタッチスクリーンロック構成体３８に即座に命令するというよりもむしろ、コントローラー４０は、時間遅延を組み込むことが可能であり、時間遅延は、権限のある個人が所定の組み合わせコードを正しく入力した後に追加的な時間の量にわたって、権限のある個人がロックコンテナへのアクセスを得ることを防止する。コントローラー４０は、権限のある個人が所定の組み合わせコードを正しく入力した後に、ロック状態からアンロック状態へ移行するようにタッチスクリーンロック構成体３８に命令することを遅延させるために、特定の時間の期間を伴ってプログラムされ得る。権限のある個人が所定の組み合わせコードを正しく入力した後に、コントローラー４０は、クロック５２にアクセスし、いつ時間遅延が過ぎたかを決定することが可能である。時間遅延が過ぎた後に、コントローラーは、次いで、ロック状態からアンロック状態へ移行するようにタッチスクリーンロック構成体３８に命令することが可能である。
【００９２】
時間遅延は、正しい所定の組み合わせコードを入力するように、権限のない個人が権限のある個人に強要することを防止することが可能である。権限のない個人は、正しい所定のコードを入力するように、権限のある個人を脅す可能性がある。しかし、クロック５２によって提供されるような時間遅延が過ぎるまで、コントローラー４０は、ロック状態からアンロック状態へ移行するようにタッチスクリーンロック構成体３８に命令することを拒絶する。ある実施形態では、コントローラー４０は、時間遅延のカウントダウンを表示するようにアクティブタッチスクリーン１４に命令することが可能であり、時間遅延が過ぎるまでコントローラー４０がロック状態からアンロック状態へ移行するようにタッチスクリーンロック構成体３８に命令することとはならないということを、権限のない個人が明確に識別することができるようになっている。これは、当局によって捕らえられることを回避するために、金庫コンテナによって保護されている内容物を取得することなく、権限のない個人が金庫コンテナの場所から逃走することをトリガーすることが可能である。アクティブタッチスクリーン１４のインターフェーシング能力は、コントローラー４０がこの能力を提供するように容易にプログラムされることを可能にすることができる。
【００９３】
ある実施形態では、コントローラー４０は、所定のアラームコードがアクティブタッチスクリーン１４の中へ入力されるときに、アラームを鳴らすようにリモートアラームデバイス５４に命令することが可能であり、アラームは、所定のアラームコードを入力した権限のある個人が、権限のない個人によって所定の組み合わせコードを入力するように強要されたということを示している。コントローラー４０は、所定のアラームコードによって権限のある個人によってプログラムされ得、所定のアラームコードは、アクティブタッチスクリーン１４の中へ入力されるときに、コントローラー４０が、鳴るようにリモートアラームデバイス５４に命令することとなる。所定のアラームコードは、権限のある個人が正しい所定の組み合わせコードを入力した後に入力されると、ロック状態からアンロック状態へ移行するようにタッチスクリーンロック構成体３８に命令するだけでなく、鳴るようにリモートアラームデバイス５４に命令するように、コントローラー４０をトリガーするコードであることが可能である。そうする際に、リモートアラームデバイス５４が、タッチスクリーンロック構成体３８の場所から遠隔に位置付けされており、リモートアラームデバイスが鳴ることが、権限のない個人に知られないことが可能であるので、権限のある個人は、権限のない個人によって傷つけられない可能性がある。
【００９４】
アクティブタッチスクリーン１４のインターフェーシング能力は、コントローラー４０が所定のアラームコードを変更するように容易にプログラムされることを可能にすることができる。権限のある個人は、アクティブタッチスクリーン１４と容易にインターフェースし、いつでも所定のアラームコードを変更することが可能である。従来のロック構成体は、所定のアラームコードを変更するために、ロックの実際のメカニクスが変更されることを必要とし、それは、コストのかかるプロセスであった。
【００９５】
ある実施形態では、コントローラー４０は、金庫コンテナに成功的にアクセスする権限のある個人をトラッキングすることが可能であり、同様に、金庫コンテナにアクセスすることを失敗した試みもトラッキングすることが可能である。コントローラー４０は、所定の組み合わせコードをアクティブタッチスクリーン１４の中へ入力することを介して、ロックコンテナにアクセスするためのそれぞれの試みに関連付けられるアクセスデータをトラッキングすることが可能である。本明細書の説明を与えられる当業者によって理解されることとなるように、アクセスデータは、試みられた金庫コンテナへのアクセスに関連付けられるデータ、たとえば、それに限定されないが、金庫コンテナにアクセスした権限のある個人、アクティブタッチスクリーン１４の中へ入力された所定の組み合わせコード、それぞれの権限のある個人が金庫コンテナに成功的にアクセスした時間および日付、正しくない所定の組み合わせコードがアクティブタッチスクリーンの中へ入力された時間および日付、ならびに／または、タッチスクリーンロック構成体３８を介したロックコンテナのアクセスおよび／または試みられたアクセスに関連付けられる任意の他のデータなどである。
【００９６】
コントローラー４０は、権限のある個人のそれぞれに関連付けられたそれぞれの所定の組み合わせコードに基づいて、権限のある個人に関連付けられるアクセスデータをトラッキングすることが可能である。それぞれの権限のある個人がそれらのそれぞれの対応する組み合わせコードを入力するときに、コントローラー４０は、権限のある個人に関連付けられるアクセスデータをトラッキングし、そのアクセスデータをアクセスデータデータベース４８の中に記憶することが可能である。たとえば、権限のある個人は、権限のある個人に関連付けられる２５  ５０  ７５の所定の組み合わせコードを入力することが可能である。次いで、コントローラー４０は、クロック５２に質問し、権限のある個人が組み合わせコード２５  ５０  ７５を正しく入力し、ロック状態からアンロック状態へ移行するようにコントローラー４０がタッチスクリーンロック構成体３８に命令した時間および日付を決定することが可能である。また、コントローラー４０は、クロック５２によって提供されるように、タッチスクリーンロック構成体３８がアンロック状態へと移行した時間、および、タッチスクリーンロック構成体３８がアンロック状態からロック状態へ移行した時間をトラッキングし、権限のある個人が金庫コンテナにアクセスした回数を決定することが可能である。次いで、コントローラー４０は、個人の所定の組み合わせに関連付けられるように、アクセスデータをアクセスデータデータベース４８に提供することが可能である。
【００９７】
また、コントローラー４０は、権限のある個人のそれぞれに関連付けられるそれぞれの従業員番号に基づいて、権限のある個人に関連付けられるアクセスデータをトラッキングすることが可能である。そのような場合では、権限のある個人のそれぞれは、同じ所定の組み合わせコードへのアクセスを有し、アクティブタッチスクリーン１４の中へ入力し、ロックコンテナへのアクセスを得ることが可能である。所定の組み合わせコードを介してロックコンテナへのアクセスを得ることを試みる権限のある個人のそれぞれの間を区別するために、コントローラー４０は、それぞれの権限のある個人が、所定の組み合わせコードに加えて、対応する従業員コードを入力することを要求することが可能である。
【００９８】
たとえば、コントローラー４０は、第１の権限のある個人が、ロックコンテナへのアクセスを得ることを試みるときに、２４  ５０  ６０の所定の組み合わせコードに加えて、２２の従業員番号を入力することを要求することが可能である。次いで、コントローラー４０は、２２の従業員番号を有する権限のある個人に関連付けられるアクセスデータをトラッキングすることが可能であり、２２の従業員番号に関連付けられるように、アクセスデータをアクセスデータデータベース４８の中に記憶することが可能である。次いで、第２の権限のある個人は、ロックコンテナへのアクセスを得ることを試みるときに、２４  ５０  ６０の所定の組み合わせコードに加えて、１５の従業員番号を入力することを要求され得る。次いで、コントローラー４０は、１５の従業員番号を有する権限のある個人に関連付けられるアクセスデータをトラッキングすることが可能であり、１５の従業員番号に関連付けられるように、アクセスデータをアクセスデータデータベース４８に記憶することが可能である。
【００９９】
ある実施形態では、コントローラー４０は、タッチスクリーンロック構成体３８に関連付けられる金庫コンテナへのアクセスを得るための試みに関連付けられる、アクセスデータデータベース４８の中に記憶されたアクセスデータへのアクセスを提供することが可能である。タッチスクリーンロック構成体３８に関連付けられる金庫コンテナへの試みられたアクセスに既得権を有するユーザー、たとえば、セキュリティー専門家および監督者などは、アクセスデータデータベースの中に記憶されたアクセスデータを分析することを要求することが可能である。たとえば、セキュリティー専門家は、タッチスクリーンロック構成体に関して試みられる活動のタイプを分析するために、コントローラー４０によって実施された最後の１０個の動作を分析することを要求することが可能である。コントローラー４０は、要求に応じて、アクセスデータへのアクセスを提供することが可能である。
【０１００】
そうする際に、コントローラー４０は、ネットワーク４６を介してアクセスデータをアクセスデータデータベース４８へストリームすることが可能である。ワイヤレス通信は、インターネットなどのような１つまたは複数のネットワーク４６を介して起こることが可能である。本発明のいくつかの実施形態では、ネットワーク４６は、１つもしくは複数のワイドエリアネットワーク（ＷＡＮ）またはローカルエリアネットワーク（ＬＡＮ）を含むことが可能である。ネットワークは、イーサネット（登録商標）、ファストイーサネット（登録商標）、ギガビットイーサネット（登録商標）、バーチャルプライベートネットワーク（ＶＰＮ）、リモートＶＰＮアクセス、および、Ｗｉ−ＦｉなどのようなＩＥＥＥ８０２．１１標準の変異形などのような、１つまたは複数のネットワーク技術を利用することが可能である。ネットワーク４６の上での通信は、トランスミッションコントロールプロトコル（ＴＣＰ）などのような信頼性の高いストリーミングプロトコルを含む１つまたは複数のネットワーク通信プロトコルを使用して起こる。これらの例は、例示目的のものであり、本発明を限定することは意図していない。ワイヤード接続通信は、それに限定されないが、光ファイバー接続、同軸ケーブル接続、銅ケーブル接続、および／または、本開示の精神および範囲から逸脱することなく当業者に明らかになることとなる任意の他の直接的なワイヤード接続によって起こることが可能である。また、データの転送は、サムドライブなどのような転送可能なメモリーストレージデバイス、および／または、本開示の精神および範囲から逸脱することなく当業者に明らかになることとなる任意の他の転送可能なメモリーストレージデバイスを介して起こることが可能である。
【０１０１】
次いで、ユーザーは、リモートコンピューティングデバイス５０を介して、アクセスデータへのアクセスを要求することが可能である。リモートコンピューティングデバイス５０は、プロセッサー、メモリー、およびネットワークインターフェースを含み、以降では、コンピューティングデバイスと称されるか、または、単純に「コンピューター」と称される。たとえば、リモートコンピューティングデバイス５０は、ワークステーション、スマートフォン、タブレット、モバイルデバイス、コンピューター、コンピューターのクラスター、または、他のコンピューティングデバイスであることが可能である。ある実施形態では、複数のモジュールが、同じコンピューティングデバイスの上に実装され得る。そのようなコンピューティングデバイスは、ソフトウェア、ファームウェア、ハードウェア、または、それらの組み合わせを含むことが可能である。ソフトウェアは、オペレーティングシステムの上に１つまたは複数のアプリケーションを含むことが可能である。ハードウェアは、それに限定されないが、プロセッサー、メモリー、および／またはグラフィカルユーザーインターフェースディスプレイを含むことが可能である。
【０１０２】
ある実施形態では、コントローラー４０は、個人がアクティブタッチスクリーン４０を介して所定の組み合わせコードを入力することを試みる権限を与えられているかおよび／または権限を与えられていないかを、リモートコンピューティングデバイス５０に毎回知らせることが可能である。成功的および／または非成功的にかかわらず、所定の組み合わせコードがアクティブタッチスクリーン４０を介して入力されるたびに、コントローラー４０は、そのような試みが行われたということを、ネットワーク４６を介してリモートコンピューティングデバイス５０に知らせることが可能である。コントローラー４０は、所定の組み合わせコードを入力するそれぞれの試みに関連付けられるアクセスデータをリモートコンピューティングデバイス４０に送信することが可能である。そうする際に、リモートコンピューティングデバイス５０のユーザーは、それぞれの試みの直ぐ後に続いて、所定の組み合わせコードを入力するそれぞれの試みを通知され得、同様に、それぞれの試みのアクセスデータを知らされ得、所定の組み合わせコードを入力する試みが権限を与えられているかどうかを、ユーザーが評価することができるようになっており、そのような試みの直ぐ後に、任意の必要なアクションをとることができるようになっている。
【０１０３】
ある実施形態では、コントローラー４０は、成功的および／または非成功的にかかわらず、所定の組み合わせコードを入力することを試みる個人（権限が与えられているおよび／または権限が与えられていないにかかわらない）の画像をキャプチャーするように、カメラ５５に命令することが可能である。個人が所定の組み合わせコードを入力することを試みるたびに、コントローラー４０は、個人の画像をキャプチャーするようにカメラ５５に命令することが可能であり、次いで、所定の組み合わせコードを入力する試みと関連付けられるように、個人の画像をアクセスデータデータベース４８の中に記憶することが可能である。そうする際に、個人の実際の画像は、所定の組み合わせコードを入力するそれぞれの試みに関する他のアクセスデータとともに分析され得る。別の実施形態では、コントローラー４０は、タッチスクリーンロック構成体３８の所定の距離の中にあるそれぞれの個人の画像をキャプチャーするように、カメラ５５に命令することが可能である。
【０１０４】
図４および図５は、ケーシング１８の内側表面５６の方を向いてみたときの、本発明の好適な実施形態による、ロックされたエンクロージャーの望まれない開放を防止するためのタッチスクリーンロック構成体１０の分解図である。タッチスクリーンロック構成体１０は、金庫、部屋、構造体などのような、さまざまなエンクロージャーの上の、および、エンクロージャーをロックすることによって意図されないアクセスから内容物を保護することが望まれる任意の他のエンクロージャーの上の、ドアなどのようなさまざまなアクセス装置の上に装着され得るということを当業者が理解することが予期され得る。そのうえ、タッチスクリーンロック構成体１０がドアに装着されるということは、本発明の有用性にとって重大ではない。その理由は、困難なく、タッチスクリーンロック構成体１０は、エンクロージャーの壁部に容易に装着され得、ロックボルト２２がそのロッキング位置において（エンクロージャーというよりもむしろ）ドアの中へ突き出し、エンクロージャーの本体部にそれをロックするようになっているからである。
【０１０５】
開口部６０は、ケーシング５８の厚さ全体を通って延在しており、図５に示されているようなシャフト６２をその中に緊密に収容しており、シャフト６２は、アクティブタッチスクリーン１４（図１を参照）からケーシング５８の内側に画定されたスペースの中へ延在している。ケーシング５８の中には、環状のジャーナル軸受６４が設けられており、それを通って突き出る回転要素６６を介してシャフト６２を緊密に受け入れて回転可能に支持している。
【０１０６】
回転要素６６は、カムノッチ６８を有している。カムノッチ６８は、図６Ａ、図６Ｂ、および図９に示されているように、ピン７０のためのクリアランスを提供し、ピン７０は、シュラウド９２に付着され、引張りばね７２に連結されている。引張りばね７２は、ピン７０によってレバー開口部７６においてレバーアーム７４に連結している。より詳細に下記に議論されているように、レバーアーム７４は、フック８２を含み、フック８２は、ボルト２２がアンロック位置にあるときに、回転要素６６のカム表面６７およびノッチ６８の中を進む。レバーアーム７４は、一方の端部において開口部８０を含み、他方の端部においてフック８２を含む。フック８２は、連続的な部分８２ａ、８２ｂ、および８２ｃを有している。ロックボルト２２は、ピン（図４および図９）を有しており、ピンは、開口部８０を有するレバーアーム７４の端部を受け入れており、開口部８０において、レバーアーム７４は、枢動可能に固定されており、開口部８０がロックボルト２２の枢動装着開口部８４に対して同心円状に位置するようになっている。レバーアーム７４は、さらに詳細に下記に説明されているように、回転要素６６のカムノッチ６８（図７Ａ〜図７Ｄを参照）と係合するように枢動可能である。
【０１０７】
締結具８８が、回転要素６６に連結されており、また、ケーシング５８に装着されている。締結具８８は、回転要素６６がレバーアーム７４に係合していながら回転することを可能にするが、回転要素６６が回転するときに、静止したままになっており、締結具８８がケーシング５８に装着されているので、レバーアーム７４は、回転要素６６の回転に対して移動する。枢動ピン９０は、ボルト２２の枢動装着開口部８４およびレバーアーム７４の開口部８０の中へ挿入されることによって、ボルト２２に連結されており、レバーアーム７４がロック位置とアンロック位置との間でボルト２２を駆動することを可能にする。シュラウド９２は、回転可能な出力ギヤおよびラックギヤアッセンブリを保護して収容しており、それは、ピン７０およびスプリング７２を包含するラックギヤ７８と回転可能な出力ギヤ１００およびモーター９８との連結を含む。
【０１０８】
図５、図６Ａ、および図６Ｂにおいて見られるように、シャフト６２は、ノブ３２（図２を参照）に回転可能に連結されており、ケーシング５８の中へ延在している。ロックボルト２２は、ユーザーによるノブ３２（図２を参照）の適当な手動動作のときに、ロッキング位置へと外向きに突き出されるように、または、アンロッキング位置へと実質的にケーシング５８の中に後退させられるように、ケーシング５８によってスライド可能に支持されている。ケーシング５８には、取り外し可能な背面壁部９４が設けられており、背面壁部９４は、締結具９６によってケーシング５８の残りの部分に固定されており、締結具９６は、また、本発明によるタッチスクリーンロック構成体１０のさまざまなコンポーネントへの支持を提供する役割を果たす。
【０１０９】
モーター９８および回転可能な出力ギヤ１００が設けられている。回転可能な出力ギヤ１００は、ラックギヤ７８と噛み合い可能であり、ラックギヤ７８を回転させる。ピン７０は、スプリング７２によってラックギヤに動作可能に連結されており、その相互作用は、図７Ａ〜図７Ｄを参照して、より詳細に下記に説明されている。図５、図６Ａ、および図６Ｂにさらに示されているように、シュラウド９２は、モーター９８、回転可能な出力ギヤ７８、ラックギヤ、ピン７０、およびスプリング７２を収容している（図６Ａを参照）。シュラウド９２は、モーター９８の位置を維持することを支援しており、また、背面壁部９４を通したモーター９８および回転可能な出力ギヤ１００へのアクセスに対する保護を提供する。
【０１１０】
ケーシング５８は、たとえば、機械加工によって、成形によって、または、その他の公知の様式で、扱いやすく形成され、１対のガイドスロット１０２を提供しており、１対のガイドスロット１０２は、ロックボルト２２をそのロック位置とアンロック位置との間のスライド運動で緊密に収容するように、形状決め、サイズ決め、および配設されている。本発明の重要な目的は、高度にコンパクトな様式でそのロッキング機能を提供することであるが、ケーシング５８、ロックボルト２２、およびガイドスロット１０２は、また、ロックされたエンクロージャーを開けるための任意の予測できる力ずくの攻撃に抵抗するのに必要な強度を提供するように、形状決めおよびサイズ決めされている。たとえば、ロックされたエンクロージャーは、高度に焼き戻しされたスチールまたは合金から作製され得るが、ロックボルト２２、および、ロックの他の要素は、より軟質の金属、たとえば、黄銅など、または、合金、たとえば、「ＺＡＭＡＫ」などから作製され得る。しかし、他の公知の材料も、ロックの１つまたは複数の要素を形成するのに適切であり得るということが当業者によって認識されることとなる。
【０１１１】
ロックボルト２２には、枢動装着開口部８４が設けられており、ピボット９０が枢動装着開口部８４の中へ装着されており、レバーアーム７４をロックボルト２２に枢動可能に接続している。それによって、ピボット９０およびレバーアーム７４は、ロック位置とアンロック位置との間でガイドスロット１０２に沿ってロックボルト２２を移動させるための手動の力を伝達する。
【０１１２】
レバーアーム７４には、フック８２（図７Ａ〜図７Ｄを参照）が設けられており、フック８２は、レバーアーム７４が回転要素６６のカムノッチ６８によって係合されることを可能にし、回転要素６６と連動して強制的に移動させられるようになっており、枢動ピン９０によってガイドされるようにスライドして移動させられることが引き起こされる。レバー開口部７６の場所を越えて延在するレバーアーム７４の遠位部分は、フック８２として形成されており、フック８２の形状には、複数の連続的な部分８２ａ、８２ｂ、８２ｃを有する外側の縁部が設けられている。連続的な部分８２ａ、８２ｂ、８２ｃは、ケーシング５８の内側表面に形成された下向きに垂れ下がっている固定されたカム部分６８と共同作用する。この共同作用は、そのロック位置とアンロック位置との間でロックボルト２２を移動させる過程における異なる段階において、図７Ａ〜図７Ｄを連続的に参照して最良に理解され、以降により完全に説明されている。
【０１１３】
図５に示されているように、ケーシング５８の中へ延在するシャフト６２の端部部分は、好ましくは、正方形断面を有しており、ぴったりマッチするように形状決めおよびサイズ決めされた中央フィッティング開口部６０（図４を参照）を介して、回転要素６６は、正方形断面に装着される。したがって、モーター９８にトルクを印加するように、コントローラー４０がモータードライブ回路４４に命令するときに（図１を参照）、トルクは、シャフト６２に伝達され、それによって、回転要素６６を強制的に回転させる。締結具８８は、シャフト６２に対して回転要素６６を固定する。たとえば、スプリットリングが、公知の様式で回転要素６６をシャフト６２に保つために利用され得る。回転要素６６を保つための他の公知の技法または構造体も使用され得る。この配置によって、回転要素６６を通して、ケーシング５８のスペース１０４の内側のポイントにおいて、すなわち、ロックされたエンクロージャーの内側の安全な格納スペース１０４の中において、モーター駆動トルクが容易に利用可能である。
【０１１４】
図６Ａおよび図６Ｂは、ラックギヤ７８、ピン７０、およびスプリング７２の相互作用の構成を示しており、それは、モーター９８によって駆動されるような回転可能な出力ギヤ１００に係合しており、シュラウド９２の中に囲まれている。本明細書で説明されているように、コントローラー４０は、権限のある個人がコントローラー４０の要件を満たしたときには、モーター９８に電気を印加するようにモータードライブ回路４４に命令し、安全な格納スペース１０４へのアクセスを権限のある個人に提供する。たとえば、コントローラー４０は、権限のある個人がアクティブタッチスクリーン１４を介して所定の組み合わせコードを正しく入力したときには、モーター９８に電気を印加するようにモータードライブ回路４４に命令する。
【０１１５】
モータードライブ回路４４によってモーター９８に提供される電気は、モーター９８をトリガーし、回転可能な出力ギヤ１００を第１の方向に駆動し、ラックギヤ７８を（図７Ａ〜図７Ｄに示されているように正面図から見たときに）反時計回り方向に第１の位置（すなわち、図７Ａ、図７Ｂ）から第２の位置（すなわち、図７Ｃ、図７Ｄ）へ回転させる。ピン７０は、ラックギヤ７８に対して後ろ向きに配設されており、スプリング７２を介してラックギヤ７８に動作可能に連結されている。ラックギヤ７８、ピン７０、およびスプリング７２の間の相互作用は、以降に完全に説明されている。
【０１１６】
図７Ａおよび図８Ａに示されているように、レバーアーム７４は、解除位置にあり、下向きに移動することができず、それによって、回転要素６６の上に提供されるカムノッチ６８と係合することができず、ボルト２２がロック位置になることを結果として生じさせる。ピン７０は、レバーアーム７４のフック８２の下に位置決めされており、ばね７２が膨張してピン７０をレバーアーム７４のフック８２の下に押すことに起因して、アーム７４をガイドする。ピン７０がレバーアーム７４のフック８２の下に位置決めされているときには、レバーアームは、さらに下に移動することができず、回転要素６６の上に設けられているカムノッチ６８に係合することができない。次いで、ピン７０がレバーアーム７４のフック８２の下に置かれていることに起因して、レバーアーム７４がカムノッチ６８に係合することを妨げられているので、ボルト２２は、ロック位置から移動することを妨げられている。
【０１１７】
図７Ｂおよび図８Ｂに示されているように、権限のある個人は、たとえば、所定の組み合わせコードを正しく入力するなど、コントローラー４０の要件を満たしており、また、ロック位置からアンロック位置へボルト２２を移転するプロセスを開始させるためにモーター９８を駆動するように、モータードライブ回路４４に命令している。モーター９８は、回転可能な出力ギヤ１００を駆動し、回転可能な出力ギヤ１００が回転するようになっている。そして、ラックギヤに連結されている回転可能な出力ギヤ１００の回転は、次いで、ラックギヤ７８を回転させる。ラックギヤ７８が回転するとき、スプリング７２が後退し、ピン７０を第２の位置へと移動させ、第２の位置において、ピン７０は、もはやレバー開口部７６の中に位置決めされておらず、もはやフック８２の底部と接触した状態になっていない。ピン７０がレバー開口部から後退させられているときには、レバーアーム７４は、さらに下に移動する自由を有している。また、シャフト６２は、モータードライブ回路４４によって駆動されるように移動し始める。図７Ｂおよび図８Ｂにおいてタッチスクリーンロック構成体１０の正面図に示されているように、反時計回り位置へのシャフト６２の移動は、次に、反時計回り位置に回転要素６６を移動させ、それによって、カムノッチ６８の位置を移動させる。
【０１１８】
図７Ａおよび図７Ｂに示されているようにレバーアームが解除位置にあるときに、図７Ｂ、図８Ｂ、図７Ｃ、および図８Ｃの中のタッチスクリーンロック構成体１０の正面図の中に見られるように、回転要素６６が反時計回り位置で回転させられるとき、レバーアーム７４のフック８２は、ピン７０の妨害なしに、回転要素６６のカム表面１０６と相互作用する。そして、回転要素６６は、反時計回り位置に回転し続け、カムノッチ６８が反時計回り位置に移動し続けることも可能にし、シャフト６２が適切なポイントへ回転要素６６を回すまで、レバーアーム７４がカム付きの関係で回転要素６６のカム付きの表面１０６と相互作用するようになっている。図７Ｃ、図７Ｄ、および図９に示されているように、レバーアーム７４のフック８２が回転要素６６のカムノッチ６８に係合することができるポイントへ、シャフト６２が回転要素６６を回すまで、レバーアーム７４のフック８２が、カム付きの関係でカム表面１０６と相互作用する。フック８２がカムノッチ６８に係合しているとき、回転要素６６は、反時計回り位置に回転し続ける。そうする際に、カムノッチ６８は、また、反時計回り位置に移動し続けるが、ここで、レバーアーム７４のフック８２がカムノッチ６８と係合された状態になっている。レバーアーム７４のフック８２がカムノッチ６８と係合している状態で、回転要素６６が反時計回り位置に回転するときに、レバーアーム７４は、ボルト２２をロック位置からアンロック位置へ移動させる。
【０１１９】
より具体的には、モーター駆動力に対して、回転要素６６、カムノッチ６８、レバーアーム７４の外側の縁部部分８２ａ、８２ｂ、８２ｃ、およびフック８２を通って伝達する力が、図７Ｃおよび図７Ｄに示されているように、矢印１１０の方向にロックボルト２２をケーシング５８の中へ強制的に引き込むように伝達される。最終的に、ロックボルト２２は、そのアンロック位置へ実質的にケーシング５８の中に引き込まれる。
【０１２０】
そして、図７Ｃ、図８Ｃ、図７Ｄ、図８Ｄ、および図９に示されているように、ラックギヤ７８は、ボルト２２が初期にロック位置にあるときには、ピン７０を駆動してオリジナル位置へと戻すことが可能である。しかし、ピン７０は、レバーアーム７４の位置に起因して、もはやアーム７４の底部表面に係合しておらず、フック８２がカムノッチ６８に係合した状態になっており、スプリング７２が膨張してピン７０をアーム７４の底部表面の中へ押し込むことを防止する。レバーアーム７４の位置は、ピン７０が移動することを阻止しており、レバーアーム７４のフック８２がカムノッチ６８と係合されているときに、ピンがレバーアーム７４の表面の上に置かれるようになっている。
【０１２１】
権限のある個人がロックボルト２２を移動させてアンロック位置からロック位置へ戻すことを望むときには、コントローラー４０は、図７Ｃ、図８Ｃ、図７Ｄ、および図８Ｄに示されているようなタッチスクリーンロック構成体１０の正面図に示されているように、シャフト６２（図１を参照）を回転させ、回転要素６６を反時計回り方向に回転させるように、モータードライブ回路４４に命令することが可能である。回転要素６６の上に位置決めされている矢印によって示されているような反時計回りの回転は、レバーアーム７４が移動し、回転要素６６のカムノッチ６８から最終的に解除することを引き起こす。レバーアーム７４のこの移動は、ロックボルト２２を移動させてロック位置に戻し、ここで、ロックボルト２２は、少なくとも部分的にケーシング５８から外へ延在している。フック７４に対する回転要素６６の回転位置に応じて、モータードライブ回路４４がシャフト６２（図１を参照）を反時計回り方向に回転させ、ロックボルト２２をロック位置へ移動させた後に、レバーアーム７４は、本質的に、図５Ａに示されているように構成されることとなる。
【０１２２】
そして、フック８２が回転要素６６のカムノッチ６８に係合していたときに、ラックギヤ７８によって以前に移動させられたように、ピン７０は、レバーアーム７４の表面の上に以前から置かれており、ボルトが、アンロック位置へと移動させられる。フック８２が回転要素６６のカムノッチ６８から解除したときに、レバーアーム７４が移動すると、スプリングピン７０は、もはやレバーアーム７４の表面によって阻止されていないことが可能である。次いで、スプリング７２は、膨張してピン７０を移動させることが可能であり、ケーシング５８の中に位置決めされているアーム７４のフック８２の底部の中へ、ピンが押し戻されるようになっており、それによって、ボルト２２をロック位置へとロックする。
【０１２３】
概要および要約の章は、本発明者によって企図されるような１つまたは複数の例示的な実施形態（しかし、すべての例示的な実施形態であるわけではない）を記載している可能性があり、したがって、本発明および添付の特許請求の範囲を決して限定することを意図していない。
【０１２４】
本発明の実施形態は、その特定の機能および関係の実装形態を図示する機能的なビルディングブロックの補助によって、上記に説明されてきた。これらの機能的なビルディングブロックの境界は、説明の便宜上のために本明細書で任意的に定義されてきた。その特定の機能および関係が適当に実施される限りにおいて、代替的な境界が定義され得る。
【０１２５】
本発明がさまざまな好適な実施形態の説明によって図示され、これらの実施形態がある程度詳細に説明されてきたが、添付の特許請求の範囲をそのような詳細に制限すること、または、任意の方式で限定することは、本出願人の意図ではない。追加的な利点および修正例は、容易に当業者に明らかになることとなる。本発明のさまざまな機能が、ユーザーの必要性および好みに応じて、単独でまたは任意の組み合わせで使用され得る。これは、本発明の説明であり、現在知られているような本発明を実施する好適な方法を伴う。しかし、本発明自身は、添付の特許請求の範囲によってのみ定義されるべきである。
【符号の説明】
【０１２６】
１０  タッチスクリーンロック構成体
１２  ハブ
１４  アクティブタッチスクリーン
１８  ケーシング
２０  パワークランク
２２  ボルト
２４  太陽電池
２６  バッテリーバンク
２８  ギヤトレイン
３０  発電機構成体
３２  ノブ
３８  タッチスクリーンロック構成体
４０  コントローラー
４２  キャパシターバンク
４４  モータードライブ回路
４６  ネットワーク
４８  アクセスデータデータベース
５０  リモートコンピューティングデバイス
５２  クロック
５４  リモートアラームデバイス
５５  カメラ
５６  内側表面
５８  ケーシング
６０  開口部
６２  シャフト
６４  環状のジャーナル軸受
６６  回転要素
６７  カム表面
６８  カムノッチ
７８  ラックギヤ
７０  ピン
７２  ばね
７４  レバーアーム
７６  レバー開口部
７８  ラックギヤ
８０  開口部
８２  フック
８４  枢動装着開口部
８８  締結具
９０  ピボット
９２  シュラウド
９４  背面壁部
９６  締結具
９８  モーター
１００  回転可能な出力ギヤ
１０２  ガイドスロット
１０４  格納スペース
１０６  カム表面
【図１】
2020522624.tif 000003
【図２】
2020522624.tif 000004
【図３】
2020522624.tif 000005
【図４】
2020522624.tif 000006
【図５】
2020522624.tif 000007
【図６Ａ】
2020522624.tif 000008
【図６Ｂ】
2020522624.tif 000009
【図７Ａ】
2020522624.tif 000010
【図７Ｂ】
2020522624.tif 000011
【図７Ｃ】
2020522624.tif 000012
【図７Ｄ】
2020522624.tif 000013
【図８Ａ】
2020522624.tif 000014
【図８Ｂ】
2020522624.tif 000015
【図８Ｃ】
2020522624.tif 000016
【図８Ｄ】
2020522624.tif 000017
【図９】
2020522624.tif 000018
【国際調査報告】
2020522624.tif 000019
2020522624.tif 000020
2020522624.tif 000021